(57)【要約】【課題】回転支持機構の摩擦抵抗を小さくしながら、大きさを抑えることで携帯端末を外観のよいものとする。【解決手段】回転側筐体と、回転側筐体を縦長状態から横長状態へ又は横長状態から縦長状態へ回転自在に支持する回転支持機構とを設ける。回転支持機構にガイドプレート１６を設け、回転の際にガイドプレート１６に対してスライド移動する第１スライドピン１１及び第２スライドピン１２を回転側筐体に連結し、さらに、ガイドプレート１６に、第１スライドピン１１をスライド規制するガイド孔１３を形成し、第２スライドピン１２と、ガイドプレート１６に設けた回動軸２３とをリンク部材１４で連結する。【選択図】図１
2011101329.tif 000002
【特許請求の範囲】
【請求項１】
回転側筐体と、
上記回転側筐体を、縦長状態から横長状態へ又は横長状態から縦長状態へ回転自在に支持する回転支持機構とを備え、
上記回転支持機構は、
ガイドプレートと、
上記回転側筐体に連結され、上記回転の際に上記ガイドプレートに対してスライド移動する第１スライド部材及び第２スライド部材と、
上記ガイドプレートに形成され、上記第１スライド部材をスライド規制するガイド孔と、
上記第２スライド部材と、上記ガイドプレートに設けた回動軸とを連結するリンク部材とを備えている
ことを特徴とする携帯端末。
【請求項２】
請求項１に記載の携帯端末において、
上記第２スライド部材の外周には、環状凹部が形成され、
上記ガイドプレートにおける上記ガイド孔の上方には、上記環状凹部が嵌り込み、上記第２スライド部材が該ガイドプレートの厚さ方向にずれるのを規制するレール部が形成されている
ことを特徴とする携帯端末。
【請求項３】
請求項１又は２に記載の携帯端末において、
上記回転側筐体が横長状態のときの第２スライド部材の上記ガイド孔からの距離は、該回転側筐体が縦長状態のときの上記第２スライド部材の上記ガイド孔からの距離よりも近くなっている
ことを特徴とする携帯端末。
【請求項４】
請求項１乃至３のいずれか１つに記載の携帯端末において、
上記ガイドプレートと、上記リンク部材とは、板材で構成され、
上記第１スライド部材と上記第２スライド部材とは、上記ガイドプレートの一方側に配置された板状の連結部材で連結され、
上記リンク部材は、上記ガイドプレートの他方側に配置され、
上記連結部材と上記リンク部材とが上記ガイドプレートを挟み込んでいる
ことを特徴とする携帯端末。
【請求項５】
請求項４に記載の携帯端末において、
上記連結部材及び上記リンク部材の少なくとも一方には、上記回転側筐体の回転を補助する弾性部材が連結され、
上記弾性部材は、上記第１スライド部材と上記第２スライド部材とが上記連結部材で連結された状態で、上記ガイドプレートに対して組み付けられている
ことを特徴とする携帯端末。
【請求項６】
請求項５に記載の携帯端末において、
上記弾性部材は、一端が上記ガイドプレートの上端における上記一方側の面に回転自在に連結され、他端が上記レール部に沿って開口されたバネ用開口内を通って上記リンク部材における上記一方側の面に回転自在に連結された捩りコイルバネである
ことを特徴とする携帯端末。
【請求項７】
請求項５に記載の携帯端末において、
上記弾性部材は、一端が上記レール部上端に回転自在に連結され、他端が上記リンク部材に回転自在に連結された捩りコイルバネであり、
上記捩りコイルバネのコイル部は、上記レール部近傍における上記第２スライド部材と反対側の上記ガイドプレートと重ならない位置に配置され、該コイル部の高さは、上記ガイドプレートと、上記連結部材と、上記リンク部材との厚さの和以下である
ことを特徴とする携帯端末。
【請求項８】
請求項１乃至７のいずれか１つに記載の携帯端末において、
上記回転側筐体の側面における厚さ方向中間には、上記回転支持機構が移動するのを許容する移動用開口が形成されている
ことを特徴とする携帯端末。
【請求項９】
請求項８に記載の携帯端末において、
上記移動用開口内を移動する上記回転支持機構により、該回転側筐体の厚さ方向に傾斜しながらスライドされ、上記横長状態において上記回転側筐体の下端側コーナー部の上記移動用開口を閉じ、上記縦長状態において上記回転側筐体に完全に収容される下方遮蔽部材を備え、
上記下方遮蔽部材は、
上記回転側筐体の下端側コーナー部に配置される遮蔽部材本体と、
上記遮蔽部材本体を上記移動用開口を塞ぐ方向に付勢する板バネとを備えている
ことを特徴とする携帯端末。
【請求項１０】
請求項９に記載の携帯端末において、
上記回転支持機構は、金属製の薄板で覆われ、
上記遮蔽部材本体は、樹脂成形品で構成されている
ことを特徴とする携帯端末。
【請求項１１】
請求項９又は１０に記載の携帯端末において、
上記遮蔽部材本体には、組付時に上記回転側筐体に抜け止めするための抜止め部を備えている
ことを特徴とする携帯端末。
【請求項１２】
請求項１乃至１１のいずれか１つに記載の携帯端末において、
上記回転支持機構は、固定側筐体に連結され、
上記回転側筐体と上記固定側筐体とは、ヒンジ部によって折り畳み自在に連結され、
上記ガイドプレートの上記ヒンジ部側の端部は折り曲げられ、該折り曲げられた部分のヒンジ軸挿通孔には上記回転側筐体と上記固定側筐体との折畳み動作を補助する付勢機構を備えたヒンジ軸が回転不能に組み付けられている
ことを特徴とする携帯端末。
【発明の詳細な説明】
【技術分野】
【０００１】
本発明は、回転側筐体が縦長状態から横長状態へ又は横長状態から縦長状態へ回転自在に支持された携帯端末に関するものである。
【背景技術】
【０００２】
近年、地上デジタルテレビ放送の開始に伴い、携帯電話機に代表される携帯端末はＴＶ受信機能やインターネット接続機能を備えるようになってきている。このため、携帯端末は、その携帯性を向上させることと、表示画面を大きくして画像を見やすくすることとの両立を図る必要がある。さらには、ＴＶ画像やインターネット画面の性質上、表示画面を横長状態にしてＴＶ視聴やインターネット接続を行いたいというニーズがある。
【０００３】
そこで、例えば、特許文献１のように、第１の筐体と第２の筐体とをヒンジ部で折り畳み開閉自在に連結し、第１の筐体に液晶表示部を縦長状態と横長状態とに切換操作可能に支持する折畳み式携帯電話機が知られている。この折畳み式携帯電話機は、ガイドプレートに設けられ左右方向に延びかつ中凸状に湾曲した曲線状の左右方向ガイド溝と、ガイドプレートに設けられ上下方向に延びる直線状の上下方向ガイド溝と、液晶表示部の背面に設けられ上記左右方向ガイド溝にスライド自在に係合する第１ガイドピンと、液晶表示部の背面に設けられ上下方向ガイド溝にスライド自在に係合する第２ガイドピンとを備えている。
【先行技術文献】
【特許文献】
【０００４】
【特許文献１】特開２００６−２１１５７６号公報
【発明の概要】
【発明が解決しようとする課題】
【０００５】
しかしながら、上記特許文献１では、特に横長状態において液晶表示部を第１の筐体に対して捩る力にも耐える必要があり、一対のガイドピンの嵌合部がそれぞれ別々のガイド溝にしっかりと嵌合するように構成されている。このため、ガイドピンとガイド溝との間での摩擦が発生しやすい構造となっており、捩りコイルバネの付勢力が液晶表示部に伝わりにくくなって、回転を補助する作用が十分に生かされないという問題がある。
【０００６】
しかも、液晶表示部を大きくするとヒンジ部との接触を避けるためには、上下方向ガイド溝の上端を上げる必要があり、そうすると、その周縁がガイドプレートの上端となるので、ガイドプレートのサイズが大きくなって第１の筐体のサイズが大きくなる。横長状態のときの液晶表示部の上辺からその背面側に配置される第１の筐体の上端が飛び出すと外観が悪化するので、それを避けるには、横長状態の上辺を上げざるを得ず、その結果、横長状態における液晶表示部の下辺と、ヒンジ部との間に隙間ができて外観が悪化する場合があるという問題がある。
【０００７】
本発明は、かかる点に鑑みてなされたものであり、その目的とするところは、回転支持機構の摩擦抵抗を小さくしながら、大きさを抑えて外観のよいものとすることにある。
【課題を解決するための手段】
【０００８】
上記の目的を達成するために、この発明では、第２スライド部材と、ガイドプレートに設けた回動軸とをリンク部材で連結した。
【０００９】
具体的には、第１の発明では、
回転側筐体と、
上記回転側筐体を、縦長状態から横長状態へ又は横長状態から縦長状態へ回転自在に支持する回転支持機構とを備え、
上記回転支持機構は、
ガイドプレートと、
上記回転側筐体に連結され、上記回転の際に上記ガイドプレートに対してスライド移動する第１スライド部材及び第２スライド部材と、
上記ガイドプレートに形成され、上記第１スライド部材をスライド規制するガイド孔と、
上記第２スライド部材と、上記ガイドプレートに設けた回動軸とを連結するリンク部材とを備えている。
【００１０】
上記の構成によると、第１スライド部材はガイド孔によって、第２スライド部材はリンク部材によって第１スライド部材と連動しながら、それぞれガイドプレートに対して移動規制される。このように移動規制される第１スライド部材及び第２スライド部材に連結された回転側筐体は、その回転軌跡が制御される。回転側筐体の回転中には、第２スライド部材は、第１ガイド部材のようにガイド孔に対して摺動しないので、その分摩擦抵抗が減って回転しやすくなる。また、第２スライド部材がガイド孔を必要としないので、第２ガイド孔の移動範囲の上端よりも上方にガイドプレートの肉を残す必要がなく、ガイドプレートの上端位置が低くなり、回転側筐体の横長状態の位置を低くすることができる。その結果、縦長状態における回転側筐体の下辺の位置と、横長状態における回転側筐体の下辺の位置との間で高さの差を小さくすることができ、見映えがよくなる。
【００１１】
第２の発明では、第１の発明において、
上記第２スライド部材の外周には、環状凹部が形成され、
上記ガイドプレートにおける上記ガイド孔の上方には、上記環状凹部が嵌り込み、上記第２スライド部材が該ガイドプレートの厚さ方向にずれるのを規制するレール部が形成されている。
【００１２】
上記の構成によると、第２スライド部材の環状凹部がレール部に嵌ったまま移動するので、第２スライド部材が厚さ方向にずれず、回転側筐体の回転動作が安定する。この場合でも、環状凹部はレール部側のみ摺接するので、従来のように第２スライド部材の両側でガイド孔の周縁に摺接する場合に比べて摩擦抵抗が小さい。
【００１３】
第３の発明では、第１又は第２の発明において、
上記回転側筐体が横長状態のときの第２スライド部材の上記ガイド孔からの距離は、該回転側筐体が縦長状態のときの上記第２スライド部材の上記ガイド孔からの距離よりも近くなっている。
【００１４】
上記の構成によると、ガイド孔の形状を調整することで、回転側筐体が横長状態のときの第２スライド部材のガイド孔からの距離が近くなり、その結果、回転側筐体のサイズが大きくても、さらに縦長状態における回転側筐体の下辺の位置と、横長状態における回転側筐体の下辺の位置との間で高さの差を小さくすることが容易となる。
【００１５】
第４の発明では、第１乃至第３のいずれか１つの発明において、
上記ガイドプレートと、上記リンク部材とは、板材で構成され、
上記第１スライド部材と上記第２スライド部材とは、上記ガイドプレートの一方側に配置された板状の連結部材で連結され、
上記リンク部材は、上記ガイドプレートの他方側に配置され、
上記連結部材と上記リンク部材とが上記ガイドプレートを挟み込んでいる。
【００１６】
上記の構成によると、第１スライド部材と第２スライド部材とが連結部材で連結された状態で、連結部材とリンク部材とがガイドプレートを挟み込んでいるので、回転支持機構をユニット組立することができ、携帯端末の組立性が格段に向上する。また、ガイドプレートとリンク部材と連結部材とが板材で構成されているので、回転支持機構の厚さが抑えられ、そのことで携帯端末全体の厚さが抑えられる。
【００１７】
第５の発明では、第４の発明において、
上記連結部材及び上記リンク部材の少なくとも一方には、上記回転側筐体の回転を補助する弾性部材が連結され、
上記弾性部材は、上記第１スライド部材と上記第２スライド部材とが上記連結部材で連結された状態で、上記ガイドプレートに対して組み付けられている。
【００１８】
上記の構成によると、第２スライド部材にかかる摩擦抵抗が小さいため、弾性部材による回転側筐体の回転補助効果が十分に発揮される。また、弾性部材もガイドプレートにユニット組立可能であるので、携帯端末の組立が容易である。
【００１９】
第６の発明では、第５の発明において、
上記弾性部材は、一端が上記ガイドプレートの上端における上記一方側の面に回転自在に連結され、他端が上記レール部に沿って開口されたバネ用開口内を通って上記リンク部材における上記一方側の面に回転自在に連結された捩りコイルバネである。
【００２０】
上記の構成によると、捩りコイルバネの他端が第２スライド部材（回転側筐体）を直接付勢するのではなく、リンク部材を介して付勢しているので、てこの原理を利用することができ、回転側筐体の回転補助効果がさらに発揮されやすくなる。また、捩りコイルバネの他端とリンク部材との連結部をバネ用開口内の空いたスペースに配置できるので、回転支持機構の厚さが抑えられる。
【００２１】
第７の発明では、第５の発明において、
上記弾性部材は、一端が上記レール部上端に回転自在に連結され、他端が上記リンク部材に回転自在に連結された捩りコイルバネであり、
上記捩りコイルバネのコイル部は、上記レール部近傍における上記第２スライド部材と反対側の上記ガイドプレートと重ならない位置に配置され、該コイル部の高さは、上記ガイドプレートと、上記連結部材と、上記リンク部材との厚さの和以下である。
【００２２】
上記の構成によると、捩りコイルバネの巻き数によって増加する方向の高さ（厚さ）を左右するコイル部がガイドプレートと重ならないレール部材の近傍に配置され、しかもその高さがガイドプレートと、連結部材と、リンク部材との厚さの和以下であるので、捩りコイルバネを設けることで回転支持機構の厚さが増加することはない。
【００２３】
第８の発明では、第１乃至第７のいずれか１つの発明において、
上記回転側筐体の側面における厚さ方向中間には、上記回転支持機構が移動するのを許容する移動用開口が形成されている。
【００２４】
上記の構成によると、回転側筐体が縦長状態又は横長状態にあるときに、回転支持機構を回転側筐体の移動用開口内に収納することができるので、回転支持機構が出っ張らず見映えがよい。また、回転支持機構が常に移動用開口内を移動するので、回転側筐体が回転中には、移動用開口とのクリアランス内でしかぐらつかず、また、回転側筐体に不測の衝撃が加わっても、移動用開口の周縁にも負荷が伝達されるので、回転支持機構にのみ負荷が集中するのが防止され、回転支持機構が損傷しにくくなる。しかも、回転支持機構の厚さが抑えられているので、移動用開口の幅が小さくなり、回転側筐体の厚さも抑えられる。
【００２５】
第９の発明では、第８の発明において、
上記移動用開口内を移動する上記回転支持機構により、該回転側筐体の厚さ方向に傾斜しながらスライドされ、上記横長状態において上記回転側筐体の下端側コーナー部の上記移動用開口を閉じ、上記縦長状態において上記回転側筐体に完全に収容される下方遮蔽部材を備え、
上記下方遮蔽部材は、
上記回転側筐体の下端側コーナー部に配置される遮蔽部材本体と、
上記遮蔽部材本体を上記移動用開口を塞ぐ方向に付勢する板バネとを備えている。
【００２６】
上記の構成によると、横長状態で回転側筐体の下端側コーナー部に位置する移動用開口を閉じていた下方遮蔽部材が、回転側筐体が縦長状態に切り換えられるときに、回転支持機構が移動用開口内を移動するのに伴って押しのけられるように厚さ方向に傾斜しながらスライドして回転側筐体内に収容されるので、回転側筐体の回転動作を阻害しない。逆に縦長状態から横長状態へ回転するのに伴って回転支持機構が出て行く移動用開口は、回転側筐体からスライドして出てくる下方遮蔽部材によって徐々に閉じられるので、縦長状態と横長状態とのいずれの状態でも移動用開口が塞がって見映えがよい上に、ごみが移動用開口から入らない。また、下方遮蔽部材は、板バネによって移動用開口を塞ぐ方向に付勢されるので、縦長状態において回転支持機構が移動用開口内に収容された状態から横長状態へ回転するときに、遮蔽部材本体が板バネによって付勢されて自動的に移動用開口を塞ぐ。このため、下方遮蔽部材の開閉操作が不要となる。
【００２７】
第１０の発明では、第９の発明において、
上記回転支持機構は、金属製の薄板で覆われ、
上記遮蔽部材本体は、樹脂成形品で構成されている。
【００２８】
上記の構成によると、遮蔽部材本体の形状が複雑な場合でも成形が容易であると共に、塗装が容易なので、移動用開口を閉じたときの外観がよい。しかも、回転支持機構が金属薄板で覆われているので、樹脂成形品と金属とが摺接し、金属同士の摺接に比べて滑りが滑らかで、塗装もはげにくくなる。さらに樹脂成形品であるため、回転側筐体の回転中に傾動しても、金属製の場合のように携帯端末の電子部品に悪影響を与えることはない。
【００２９】
第１１の発明では、第９又は第１０の発明において、
上記遮蔽部材本体には、組付時に上記回転側筐体に抜け止めするための抜止め部を備えている。
【００３０】
上記の構成によると、樹脂成形品なので遮蔽部材本体を回転側筐体に仮止めしたときに、抜止め部があるので、遮蔽部材本体が抜けず、組付作業が容易となる。
【００３１】
第１２の発明では、第１乃至第１１のいずれか１つの発明において、
上記回転支持機構は、固定側筐体に連結され、
上記回転側筐体と上記固定側筐体とは、ヒンジ部によって折り畳み自在に連結され、
上記ガイドプレートの上記ヒンジ部側の端部は折り曲げられ、該折り曲げられた部分のヒンジ軸挿通孔には上記回転側筐体と上記固定側筐体との折畳み動作を補助する付勢機構を備えたヒンジ軸が回転不能に組み付けられている。
【００３２】
上記の構成によると、回転側筐体に第１及び第２スライド部材を介して連結されたガイドプレートに対し、回転側筐体と固定側筐体との折畳み動作を補助する付勢機構を備えたヒンジ軸を直接組み付けているので、従来のように別部品として構成されたヒンジ軸を支持機構を覆う筐体に取り付ける場合に比べてガタが生じにくい。このため、回転側筐体と固定側筐体とのガタが抑制される。また、従来に比べて第２スライド部材のためのガイド孔が必要ないので、ガイドプレートの上端が低くなる。このため、横長状態における回転側筐体の上辺を下げることができ、その結果、ヒンジ部と横長状態における回転側筐体の下辺との間の隙間が小さくなり、外観がよい。
【発明の効果】
【００３３】
以上説明したように、本発明によれば、回転支持機構のガイドプレートに、回転側筐体に連結された第１スライド部材及び第２スライド部材と、第１スライド部材をスライド規制するガイド孔とを設け、第２スライド部材とガイドプレートに設けた回動軸とをリンク部材で連結したことにより、回転支持機構の摩擦抵抗を小さくしながら、大きさを抑えることで携帯端末を外観のよいものとすることができる。
【図面の簡単な説明】
【００３４】
【図１】本発明の実施形態にかかる回転側筐体が縦長状態のときの回転支持機構の主要部を示す背面図である。
【図２】折り畳み状態にある携帯電話機を示す斜視図である。
【図３】回転側筐体が縦長状態の携帯電話機を正面側から見た斜視図である。
【図４】回転側筐体を縦長状態又は横長状態に切り換える途中の携帯電話機を正面側から見た斜視図である。
【図５】回転側筐体が横長状態のときの携帯電話機を正面側から見た斜視図である。
【図６】回転側筐体が縦長状態の携帯電話機を背面側から見た斜視図である。
【図７】回転側筐体を縦長状態又は横長状態に切り換える途中の携帯電話機を背面側から見た斜視図である。
【図８】回転側筐体が横長状態のときの携帯電話機を背面側から見た斜視図である。
【図９】回転側筐体及び回転支持機構を背面側から見た分解斜視図である。
【図１０】正面側キャビネットを背面側から見た斜視図である。
【図１１】正面側キャビネットを正面側から見た斜視図である。
【図１２】正面側キャビネットの右側面図である。
【図１３】背面側キャビネットを正面側から見た斜視図である。
【図１４】背面側キャビネットの右側面図である。
【図１５】背面側キャビネットを取り外した状態で、回転側筐体が縦長状態における回転支持機構及び回転側筐体の様子を示す斜視図である。
【図１６】回転側筐体が縦長状態又は横長状態に切り換える途中の図１５相当図である。
【図１７】回転側筐体が横長状態における図１５相当図である。
【図１８】背面側キャビネットを取り外した状態の回転側筐体が縦長状態における回転支持機構及び回転側筐体の様子を示す背面図である。
【図１９】回転側筐体が縦長状態又は横長状態に切り換える途中の図１８相当図である。
【図２０】回転側筐体が横長状態における図１８相当図である。
【図２１】回転支持機構の分解斜視図である。
【図２２】回転側筐体が縦長状態における回転支持機構の主要部を背面側から見た斜視図である。
【図２３】回転側筐体が縦長状態における回転支持機構の主要部を正面側から見た斜視図である。
【図２４】回転側筐体が縦長状態又は横長状態に切り換える途中における図２３相当図である。
【図２５】回転側筐体が横長状態における図２３相当図である。
【図２６】回転側筐体が縦長状態における回転支持機構の左側面図である。
【図２７】回転側筐体が縦長状態における回転支持機構の上面図である。
【図２８】回転側筐体が縦長状態における回転支持機構の底面図である。
【図２９】信号線が収容された正面側ヒンジ部筐体を背面側から見た斜視図である。
【図３０】背面側ヒンジ部筐体を背面側から見た斜視図である。
【図３１】側方遮蔽部材を拡大して示す斜視図である。
【図３２】下方遮蔽部材本体が仮止めされた正面側キャビネットの背面図である。
【図３３】図３２のXXXIII−XXXIII線断面図である。
【図３４】図３２のXXXIV−XXXIV線断面図である。
【図３５】下方遮蔽部材本体を外して板バネが露出する状態の正面側キャビネットの背面図である。
【図３６】図３５のXXXVI−XXXVI線断面図である。
【図３７】下方遮蔽部材を拡大して示す斜視図である。
【図３８】下方遮蔽部材本体を拡大して示す斜視図である。
【図３９】下方遮蔽部材本体を拡大して別方向から見た斜視図である。
【図４０】板バネを拡大して示す斜視図である。
【図４１】板バネを拡大して別方向から見た斜視図である。
【図４２】板バネの自由形状を拡大して示す底面図である。
【図４３】板バネの圧縮形状を拡大して示す底面図である。
【図４４】板バネの展開図を拡大して示す正面図である。
【図４５】本発明の実施形態の変形例にかかる回転側筐体が縦長状態のときの回転支持機構の主要部を示す斜視図である。
【図４６】本発明の実施形態の変形例にかかる回転支持機構の主要部を別の方向から見た図４５相当図である。
【発明を実施するための形態】
【００３５】
以下、本発明の実施形態を図面に基づいて説明する。
【００３６】
図２〜図８に示すように、本発明の実施形態の携帯端末としての折畳み式携帯電話機１は、正面側に表示ディスプレイ２が内蔵された薄板状の回転側筐体３を備えている。この回転側筐体３は、ヒンジ部４を中心に固定側筐体５と折り畳み自在に連結されている。このため、図２に示すように、回転側筐体３と固定側筐体５とを折り畳んだときには、薄い直方体形状となっている。一方、図３に示すように、回転側筐体３をヒンジ部４を中心に開くと、縦長の表示ディスプレイ２が正面に現れるようになっている。
【００３７】
図３に示すように、固定側筐体５には、携帯電話機１の各種機能を操作する操作部７が内蔵され、例えば正面側にファンクションキー７ａや文字キー７ｂが配置されている。これらのキー７ａ，７ｂの上に描かれた文字は、固定側筐体５を縦長に持ったときに読みやすいように描かれている。これらのキー７ａ，７ｂの背面側には、図示しないメイン基板が配置されている。図６に示すように、固定側筐体５の背面側には、矩形状のバッテリーカバー８が設けられ、その内部にバッテリー（図示せず）が内蔵されている。また、固定側筐体５には、カメラ部２２が設けられている。一方、回転側筐体３にも簡単なカメラを設けてもよい。また、回転側筐体３又は固定側筐体５内には、図示しないＴＶチューナが内蔵され、ＴＶ受信可能となっている。
【００３８】
図９にも示すように、回転側筐体３は、いずれも矩形皿状の正面側キャビネット３ａと背面側キャビネット３ｂとが厚さ方向に平行な分割面３ｃで結合されて形成されている。正面側キャビネット３ａと背面側キャビネット３ｂとは、樹脂成型品でも金属成型品でもよいが、本実施形態では、図１０〜図１２に示すように、正面側キャビネット３ａは、マグネシウム合金等の軽量かつ剛性の高い材料で構成されている。図１１に示すように、正面側キャビネット３ａの正面側には、上記表示ディスプレイ２を背面側に表示用基板（図示せず）を配置した状態で収容するディスプレイ収容凹部３ｄが形成されている。ディスプレイ収容凹部３ｄに表示ディスプレイ２を嵌め込んだ状態で正面側からアクリル板やガラス板よりなるディスプレイ用カバー９（図３等に示す）で覆われている。正面側キャビネット３ａには、上端の２箇所と下方一箇所に、この正面側キャビネット３ａと背面側キャビネット３ｂとを締結するためのキャビ締結用貫通孔３ｅが形成されている。そして、図１０に示すように、正面側キャビネット３ａの左右中央かつ上下中間部分には、一対の回転支持機構固定用孔３ｆが斜めに所定の距離を空けて配置されている。本実施形態では、上側の回転支持機構固定用孔３ｆは、雌ネジを備えたボス形状に、下側の回転支持機構固定用孔３ｆは、貫通孔にそれぞれ形成されている。
【００３９】
図１３及び図１４に示すように、背面側キャビネット３ｂの正面には、上記キャビ締結用貫通孔３ｅに対応する位置に、雌ネジを備えたボス形状のキャブ締結用孔３ｇが形成されている。また、一対の回転支持機構固定用孔３ｆに対応する位置に回転支持機構固定用孔３ｈが形成されている。キャビ締結用貫通孔３ｅに対応させて下側の回転支持機構固定用孔３ｈは、雌ネジを備えたボス形状に、上側の回転支持機構固定用孔３ｈは、貫通孔にそれぞれ形成されている。なお、図１３に示すように、背面側キャビネット３ｂの上側には、矩形状の背面ディスプレイ用開口６が形成され、この部分に、サブディスプレイ６ａ（図１５等に示す）が配置され、時刻等を表示可能に構成されている。
【００４０】
そして、上記回転側筐体３は、回転支持機構１０によって図３に示す縦長状態から図５に示す横長状態へ正面から見て時計回りに回転し、また、横長状態から縦長状態へ元に戻るように回転自在に支持されている。この回転側筐体３は、図４等に示すように、ヒンジ部４（後述するヒンジボス部１７ａ，１８ａ及び膨出部５ａ）と所定の距離を空けながら回転するように構成されている。このため、回転側筐体３の角部を丸める必要がなくなり、表示ディスプレイ２が大きく形成されている。また、図５に示すように、回転側筐体３が横長状態かつ開いた状態で、固定側筐体５の背面側を机上等の載置面に載置可能となっている。
【００４１】
図１５〜図２０に背面側キャビネット３ｂを取り外した状態の回転側筐体３の斜視図及び背面図を示す。図１及び図２２〜図２８にも示すように、回転支持機構１０は、回転の際にスライド移動する第１スライド部材としての第１スライドピン１１及び第２スライド部材としての第２スライドピン１２と、第１スライドピン１１を水平方向に山形にスライド規制するガイド孔１３とが設けられたステンレス鋼等よりなるガイドプレート１６を備えている。第１スライドピン１１及び第２スライドピン１２は、それぞれガイドプレート１６の背面側キャビネット３ｂ（背面）側に配置された板状の連結部材２１に対し、端部をかしめるなどにより、連結されている。
【００４２】
図２２等に示すように、背面側から見てガイドプレート１６の右上端部には、回動軸２３が設けられている。この回動軸２３には、一端が第２スライドピン１２に回転可能に連結されたリンク部材１４の他端が回転可能に連結されている。リンク部材１４は、例えば、略Ｌ字状の板材よりなる。第２スライドピン１２の外周には、連結部材２１とリンク部材１４とに挟まれることで、環状凹部１２ａが形成されている。
【００４３】
そして、ガイドプレート１６におけるガイド孔１３の上方には、環状凹部１２ａが嵌り込むレール部１５が形成されている。この環状凹部１２ａがレール部１５に嵌り込むことで、第２スライドピン１２がガイドプレート１６の厚さ方向にずれるのが規制されている。リンク部材１４は、ガイドプレート１６の正面側キャビネット３ａ側（正面側）に配置されており、連結部材２１とリンク部材１４とがガイドプレート１６を挟み込んだ状態となっている。これらガイドプレート１６とリンク部材１４と連結部材２１とが板材で構成されているので、回転支持機構１０の厚さが抑えられている。
【００４４】
ガイド孔１３、リンク部材１４及びレール部１５の形状としては、種々のものが考えられるが、例えば、ガイド孔１３は、上方へ膨らんだ中凸曲線状に形成されている。レール部１５は、ガイド孔１３の上方に形成され、第２スライドピン１２の移動軌跡に合わせて上下に曲線状に延びている。
【００４５】
リンク部材１４には、回転側筐体３の回転を補助する弾性部材としての捩りコイルバネ２６が連結されている。具体的には、捩りコイルバネ２６は、一端の環状部がガイドプレート１６の上端の第１支持ピン２６ａに回転自在に連結され、他端がレール部１５に沿って開口されたバネ用開口３０内を通って、その環状部がリンク部材１４におけるガイドプレート１６側（背面側）の第２支持ピン２６ｂに回転自在に連結されている。捩りコイルバネ２６は、第１スライドピン１１と第２スライドピン１２とが連結部材２１で連結された状態で、ガイドプレート１６に対して組み付けられている。捩りコイルバネ２６の他端が第２スライドピン１２（回転側筐体３）を直接付勢するのではなく、リンク部材１４を介して第２スライドピン１２を付勢しているので、てこの原理を利用することができ、回転側筐体３の回転補助効果が発揮されやすくなっている。また、捩りコイルバネ２６の他端とリンク部材１４との連結部をバネ用開口３０内の空いたスペースに配置できるので、回転支持機構１０の厚さが抑えられている。
【００４６】
ガイドプレート１６は、例えば、ステンレス鋼板よりなり、ガイドプレート１６の上側に上記ガイド孔１３及びレール部１５が形成され、その下方には、軽量化のために四角形等の複数の貫通孔１６ａが開口されている。ガイドプレート１６の上下中間の左右には、一対のネジ挿通孔１６ｂが形成されている。ガイドプレート１６の下端は、下方に延びた一対の脚部１６ｃを備えている。一対の脚部１６ｃは、厚さ方向（正面側キャビネット３ａ側）へ折り曲げられる延長部１６ｄをそれぞれ有し、正面から見て左側の延長部１６ｄにはヒンジ軸挿通孔１６ｅが開口されている。一方、右側の延長部１６ｄにはそのような孔は形成されていない。
【００４７】
図２１にも示すように、ガイドプレート１６は、厚さ方向に分割された正面側ヒンジ部筐体１７及び背面側ヒンジ部筐体１８で挟まれている。図２９に示すように、正面側ヒンジ部筐体１７は、ヒンジ部４を構成する左右のヒンジボス部１７ａと、これらヒンジボス部１７ａから上方に延び、ガイドプレート１６の左右側面を覆う装飾側面部１７ｂとを有し、正面側が金属製の装飾薄板１９で覆われている。背面から見たときに、左側の装飾側面部１７ｂの方が右側の装飾側面部１７ｂよりも長くなっている。装飾側面部１７ｂは、背面側キャビネット３ｂと同じ材料で同じ色彩であれば見映えがよい。装飾薄板１９は、例えば、プレス成形され塗装等により色彩が施されたステンレスの薄板よりなる。正面側ヒンジ部筐体１７と装飾薄板１９とは、例えば、樹脂を流し込む際に一体に成型される。
【００４８】
図２９に示すように、背面から見て左側の装飾側面部１７ｂには、回転側筐体３の厚さ方向に突出する突起部２７が形成されている。一方、図１３に示すように、回転側筐体３の背面側キャビネット３ｂ内面には、この突起部２７が回転の際に摺動する略扇形のスライド用凹部２８が形成されている。
【００４９】
図３０に示すように、背面側ヒンジ部筐体１８は、ヒンジ部４を構成する左右のヒンジボス部１８ａを有し、背面側が金属製の装飾薄板１９で覆われている。背面側ヒンジ部筐体１８と装飾薄板１９とは、同様に樹脂を流し込む際に一体に成型される。正面側ヒンジ部筐体１７及び背面側ヒンジ部筐体１８にそれぞれ設けられた表裏一対の装飾薄板１９には、上下又は斜めに延びる複数の突条１９ａが形成され、いずれもガイドプレート１６を固定するためのネジ挿通孔１９ｂを備えている。また、背面から見て左上側の位置には、表裏の装飾薄板１９同士を固定するネジ挿通孔１９ｃが形成されている。
【００５０】
また、図２９等に示すように、背面側から見て左側のヒンジボス部１７ａ，１８ａ内には、表示用基板とメイン基板とを電気的に接続する信号線２０が通っている。詳しくは図示しないが、信号線２０は、多数の細線が撚られた例えば一対の細線ケーブルよりなり、背面側から見て左側の装飾側面部１７ｂの右方に形成した信号用凹部１７ｃに収容される幅広の幅広部２０ａと、この幅広部２０ａから延び、回転側筐体３の回転に伴い、回転側筐体３内を折れ曲がりながら移動する一対の断面円形状に撚られた円形部２０ｂとを備えている。また、信号線２０は、その幅広部２０ａが上記表裏の装飾薄板１９で覆われることで回転側筐体３の回転時に損傷しないように保護されている。図１０、図１５等に示すように、信号線２０の先端は、正面側キャビネット３ａに形成した信号線用開口２９の上端に固定した信号線挿通用部材２０ｃを通って表示ディスプレイ２に接続されている。この信号線挿通用部材２０ｃは、内部に防水用ゴムを備え、この防水用ゴムにより、信号線２０が確実に固定されると共に、回転支持機構１０側から表示ディスプレイ２側への水や粉塵の浸入が防止されている。
【００５１】
これらガイドプレート１６、第１スライドピン１１、第２スライドピン１２、リンク部材１４、連結部材２１、正面側ヒンジ部筐体１７、背面側ヒンジ部筐体１８、装飾薄板１９、捩りコイルバネ２６等が、回転支持機構１０を構成している。そして、正面側ヒンジ部筐体１７及び背面側ヒンジ部筐体１８における回転側筐体３が縦長状態のときに隠れる部分は、それぞれ装飾薄板１９で覆われているので、厚さの増大を抑えつつ強度及び耐摩耗性が向上すると共に、回転側筐体３の回転中に露出する部分の見映えがよくなっている。また、突条１９ａにより、装飾薄板１９と回転側筐体３内部との隙間を最小限にすることで、回転時のぐらつきが防止されている。
【００５２】
一方、図１等に示すように、第１スライドピン１１及び第２スライドピン１２は、それぞれ中心に正面側キャビネット３ａの回転支持機構固定用孔３ｆ又は背面側キャビネット３ｂの回転支持機構固定用孔３ｈが挿通されるボス挿通孔１１ａ，１２ｂを備えている。ガイドプレート１６に第１スライドピン１１及び第２スライドピン１２をユニット組立した状態で、図９、図１８等に示すように、ボス挿通孔１１ａ，１２ｂに回転支持機構固定用孔３ｆ又は回転支持機構固定用孔３ｈを挿通し、締結部材６３を回転支持機構固定用孔３ｆ又は回転支持機構固定用孔３ｈに締結することで、回転支持機構１０が正面側キャビネット３ａに組み付けられている。このとき、図９及び図２１に示すように、第１スライドピン１１及び第２スライドピン１２を連結部材２１に結合し、これら第１スライドピン１１及び第２スライドピン１２をガイド孔１３及びレール部１５に係合させて、予め回転支持機構１０をユニット構成しておけば、組立ライン上で正面側キャビネット３ａに連結部材２１ごと回転支持機構１０が回転側筐体３に連結されるので、組立が極めて容易となっている。
【００５３】
そして、図８等に示すように、回転側筐体３の側面における厚さ方向中間には、回転支持機構１０が移動するのを許容する移動用開口２５が形成されている。この移動用開口２５は、背面側キャビネット３ｂにおける分割面３ｃ側の縁部に形成されている。背面側から見たときに、この移動用開口２５は、縦長状態で下側に配置される下方開口２５ａと、左側に配置される側方開口２５ｂとに跨ってＬ字形状に形成されている。図９に示すように、回転支持機構１０を組み付けた正面側キャビネット３ａに対し、移動用開口２５の部分に回転支持機構１０がくるようにして背面側キャビネット３ｂを組み付け、上記キャビ締結用貫通孔３ｅにキャブ締結用ネジ６０を挿通してキャブ締結用孔３ｇに締結することで、回転側筐体３の組立が行われている。
【００５４】
また、正面側キャビネット３ａには、表示ディスプレイと表示用基板とが設けられ、ある程度の厚さを必要とするので、図１３及び図１４に示すように、厚さを必要としない背面側キャビネット３ｂの分割面３ｃ側の縁部へ移動用開口２５が切り欠かれている。このため、厚さの増大を防ぎながら回転支持機構１０が正面側キャビネット３ａと背面側キャビネット３ｂとの間にサンドイッチ状に挟まれている。
【００５５】
一方、図３等に示すように、ヒンジ部４は、左右外側のヒンジボス部１７ａ，１８ａと、固定側筐体５の上側に形成され、これらヒンジボス部１７ａ，１８ａに挟まれる膨出部５ａとを備えている。図２１等に示すように、ガイドプレート１６の一対の延長部１６ｄは、それぞれヒンジボス部１７ａ，１８ａ内に配置されている。背面側から見て右側の一方の延長部１６ｄのヒンジ軸挿通孔１６ｅには、金属製のヒンジ軸４ａがかしめ等によって組み付けられ、同じく金属製のガイドプレート１６に対してヒンジ軸４ａが回転不能に固定されている。一方、ヒンジ軸４ａの左右内側端部には、角筒状の固定部４ｂが回転可能に設けられている。角筒状の固定部４ｂが固定側筐体５の膨出部５ａに固定されると共に、他方の延長部１６ｄをヒンジボス部１７ａに設けた固定部材１７ｆにビス止めすることで、回転支持機構１０がヒンジ部４を介して固定側筐体５に確実に固定されている。
【００５６】
そして、図２２等に示すように、ヒンジ軸４ａは、回転側筐体３と固定側筐体５との折畳み動作を補助する付勢機構４ｃを備えている。図２８等に示すように、例えば、この付勢機構４ｃは、ヒンジ軸４ａの軸方向にコイルが巻かれた捩りコイルバネを含み、この捩りコイルバネの一端がヒンジ軸４ａに固定されると共に、他端が固定部４ｂに固定されており、この捩りコイルバネの付勢力により、回転側筐体３が固定側筐体５に対し、例えば約１６５°の全開位置で保持されるように付勢している。このように、剛性部材であるガイドプレート１６にヒンジ軸４ａを直接嵌合させて組み付けることで、部品点数の増加を抑えながら、ヒンジ軸４ａとガイドプレート１６との間でのガタを防止できる剛性の高いヒンジ部４が得られる。
【００５７】
そして、図２及び図８に示すように、移動用開口２５は、回転支持機構１０の装飾側面部１７ｂと、回転側筐体３の回転に伴う回転支持機構１０の移動に合わせて開閉する側方遮蔽部材４０及び下方遮蔽部材４１とで覆われるように構成されている。
【００５８】
図３１に示すように、側方遮蔽部材４０は、装飾側面部１７ｂと共に側方開口２５ｂを閉じる側方遮蔽部材本体４０ａを備え、回動支点４０ｂを中心に回動自在に支持されている。側方遮蔽部材本体４０ａの内側には、バネ収容部４０ｃが形成されている。このバネ収容部４０ｃには、遮蔽用捩りコイルバネ４０ｄが収容されている。この遮蔽用捩りコイルバネ４０ｄにより、側方遮蔽部材本体４０ａが、側方開口２５ｂを閉じる方向に付勢されている。図１５及び図１８に示すように、側方遮蔽部材本体４０ａの回動端４０ｅは、正面側ヒンジ部筐体１７の上端部１７ｄの凹部１７ｅに収容されるように構成されている。側方遮蔽部材本体４０ａは、背面側キャビネット３ｂと同じ材質で同じ色彩であると見映えがよい。
【００５９】
そして、図３２〜図４４に示すように、下方遮蔽部材４１は、回転側筐体３の下端側コーナー部３ｉに配置される下方遮蔽部材本体４１ａと、この下方遮蔽部材本体４１ａを移動用開口２５を塞ぐ方向に付勢する板バネ４３とを備えている。具体的には、下方遮蔽部材本体４１ａは、例えば、金属などに対して滑りがよく、耐摩耗性に優れたナイロン樹脂などの樹脂成形品よりなり、下端側コーナー部３ｉに沿ったＬ字状部４１ｂと、このＬ字状部４１ｂの表面側を覆うカバー部４１ｃとを備え、Ｌ字状部４１ｂが図１０、図３３等に示す遮蔽部材収容部４２に収容されるようになっている。図３３及び図３９に示すように、Ｌ字状部４１ｂの裏面側には、組立時に遮蔽部材収容部４２の係合部４２ａに抜け止め状態で仮止めするための抜止め部４１ｄが形成されている。
【００６０】
一方、板バネ４３は、図４０〜図４４に示すように、バネ鋼を折り畳んで、ビス孔４３ａを有する取付部４３ｂと、側面視Ｖ字状のバネ部４３ｃとを備え、ビス孔４３ａにビス４３ｄを挿通して遮蔽部材収容部４２のネジ穴４２ｂ（図１０参照）に締結した状態で、バネ部４３ｃが遮蔽部材収容部４２に収容されるように構成されている。
【００６１】
このように構成することで、下方遮蔽部材本体４１ａは、その裏面側に板バネ４３が配置された状態で、遮蔽部材収容部４２内で回転側筐体３の厚さ方向に傾動（スライドして移動）可能に配置されている。すなわち、図７に示すように、回転支持機構１０の回転に伴って、この回転支持機構１０に当接された下方遮蔽部材本体４１ａが徐々に回転側筐体３の厚さ方向に押圧されて傾動し、回転支持機構１０がスムーズに通過するように構成されている。回転支持機構１０の通過後には、板バネ４３に押し戻されて再び下方開口２５ａ及び側方開口２５ｂの一部を閉じるようになっている。下方遮蔽部材４１も、背面側キャビネット３ｂと同じ色彩であると見映えがよい。
【００６２】
以上の構成により、図２に示す閉じ状態及び図３に示す縦長状態では、ヒンジ部４側（縦長状態で下側）の装飾側面部１７ｂと、側方遮蔽部材４０とで側方開口２５ｂが閉じられ、下方開口２５ａにはガイドプレート１６、正面側ヒンジ部筐体１７及び背面側ヒンジ部筐体１８の下側が収容されている。図８に示す横長状態では、図１７及び図２０にも示すように側方遮蔽部材４０が正面側キャビネット３ａ内に収納されると共に、側方開口２５ｂの一部（図３の縦長状態における上側）にガイドプレート１６、正面側ヒンジ部筐体１７及び背面側ヒンジ部筐体１８が収容され、側方開口２５ｂの下端側コーナー部側の部分と下方開口２５ａとが下方遮蔽部材４１で閉じられている。これら遮蔽部材４０，４１が閉じられているときには、遮蔽部材４０，４１の表面と回転側筐体３の表面とは、ほぼ連続している。
【００６３】
−作用−
次に、本実施形態にかかる携帯電話機１の作動について説明する。
【００６４】
まず、図２に示すように、携帯電話機１を使用しないとき、又は待機状態のときなどは、回転側筐体３と固定側筐体５とは折り畳み状態にある。このとき、回転支持機構１０は、回転側筐体３の移動用開口２５内に収納されているが、ガイド孔１３及びレール部１５が平板状のステンレス製のガイドプレート１６に形成され、この厚さの薄いガイドプレート１６、正面側ヒンジ部筐体１７及び背面側ヒンジ部筐体１８を移動用開口２５内で移動させればよいので、移動用開口２５の幅が小さくなり、また、回転側筐体３全体の厚さも抑えられている。しかも、側方開口２５ｂは、側方遮蔽部材４０と装飾側面部１７ｂとで覆われ、回転側筐体３の表面はほぼ連続して見える。このため、回転支持機構１０が出っ張らず、一見すると回転支持機構１０のない通常の折畳み式携帯電話機１に見えて見映えがよい。
【００６５】
そして、図３に示すように、回転側筐体３と固定側筐体５とを開くと、表示ディスプレイ２と操作部７とが現出する。通常の通話時やメール送受信時などには、表示ディスプレイ２を縦長状態とし、操作部７でキー入力しながら使用する。この回転側筐体３が縦長状態にあるときには、図１、図１５、図１８、図２２及び図２３に示すように、回転側筐体３の背面側から見て第１スライドピン１１は、ガイド孔１３の左端部に位置し、第２スライドピン１２は、レール部１５の上下中間部に位置している。
【００６６】
一方、地上デジタルテレビ放送の視聴やインターネット接続をするときなど横長画像を見たいときには、ユーザが表示ディスプレイ２を回転させ縦長状態から横長状態に切り換える。
【００６７】
まず、図４及び図７に示すように、ユーザは回転側筐体３の下端側コーナー部３ｉを表面から見て時計回りに回転させる。このとき、図１６、図１９及び図２４に示すように、携帯電話機１の背面から見てレール部１５の上下中間位置にあった第２スライドピン１２がレール部１５のほぼ上端へ移動し、ガイド孔１３の左端にあった第１スライドピン１１が左右中央付近に移動する。同時にリンク部材１４が上方へ回動するのに伴って捩りコイルバネ２６が最も弾性エネルギーを蓄える。このガイド孔１３の中央付近を過ぎると、捩りコイルバネ２６の付勢力により、回転側筐体３の回転が補助される。また、正面側ヒンジ部筐体１７の上端部１７ｄが、側方遮蔽部材本体４０ａを押し上げて厚さ方向へ傾斜させるので、側方遮蔽部材４０が回動し、また、他方側の装飾側面部１７ｂが下方遮蔽部材４１を押し下げるので、回転側筐体３の回転を阻害しない。図４及び図７に示すように、移動用開口２５から出てきた回転支持機構１０は、その正面及び背面が装飾薄板１９で覆われているので、見映えがよい。
【００６８】
次いで、表示ディスプレイ２が図５に示す横長状態に切り換えられる。このとき、図１７、図２０及び図２５に示すように、携帯電話機１の背面から見てレール部１５の上端側にあった第２スライドピン１２がレール部１５の下端に移動し、ガイド孔１３の左右中央付近にあった第１スライドピン１１がガイド孔１３の右端に移動する。このように、第１スライドピン１１はガイド孔１３によって、第２スライドピン１２はリンク部材１４によって第１スライドピン１１と連動しながら、それぞれガイドプレート１６に対して移動規制される。このように移動規制される第１スライドピン１１及び第２スライドピン１２に連結された回転側筐体３は、その回転軌跡が制御される。第１スライドピン１１がガイド孔１３内をスライド移動するのと同時に、第２スライドピン１２の環状凹部１２ａがレール部１５に嵌ったまま移動するので、第２スライドピン１２が厚さ方向にずれず、回転側筐体３の回転動作が安定する。この場合でも、環状凹部１２ａはレール部１５側のみ摺接するので、従来のように第２スライドピン１２の両側でガイド孔１３の周縁に摺接する場合に比べて摩擦抵抗が小さい。第２スライドピン１２にかかる摩擦抵抗が小さいため、捩りコイルバネ２６による回転側筐体３の回転補助効果が十分に発揮され、さらに力を加えなくても自動的に回転側筐体３が横長状態へ切り換わる。
【００６９】
また、第２スライドピン１２がガイド孔を必要としないので、ガイド孔の移動範囲の上端よりも上方にガイドプレート１６の肉を残す必要がなく、ガイドプレート１６の上端位置が低くなり、回転側筐体３の横長状態の位置を低くすることができる。しかも、回転側筐体３が横長状態のときの第２スライドピン１２の高さ（ヒンジ部４からの距離）は、回転側筐体３が縦長状態のときの第２スライドピン１２の高さよりも低くなっている。このように、ガイド孔１３の形状を調整することで、回転側筐体３が横長状態のときの第２スライドピン１２の高さが低くなる。これらの効果により、図３及び図５に示すように、縦長状態における回転側筐体３の下辺とヒンジ部４との隙間の大きさと、横長状態における回転側筐体３の下辺とヒンジ部４との隙間の大きさをいずれも小さくすることができ、見映えが向上している。
【００７０】
また、図３〜図８に示すように、回転支持機構１０は、側方遮蔽部材４０及び下方遮蔽部材４１を徐々に押しのけながら移動すると共に、移動後には、側方遮蔽部材４０及び下方遮蔽部材４１が徐々に元の位置に戻る。このように、回動中にも移動用開口２５が少しずつ開くので、移動用開口２５内にごみが入りにくい。また、指などが挟まりにくいので安全である。
【００７１】
また、下端側コーナー部３ｉは、ヒンジ部４との間に一定の隙間を保った軌跡でもって移動するように案内支持される。このため、従来のように表示ディスプレイ２の下端をその支持軸を中心とした半径に沿って丸めなくても、表示ディスプレイ２がヒンジ部４に干渉することはない。このため、回転側筐体３の角部を丸める必要がなくなり、表示ディスプレイ２を大きくすることができる。このため、画像が見やすくなっている。
【００７２】
また、回転側筐体３の回転中には、回転支持機構１０が常に移動用開口２５内を移動するので、移動用開口２５とのクリアランス内でしかぐらつかず、回転操作が安定する。また、突起部２７が回転側筐体３のスライド用凹部２８に常に接触するようにすれば、簡単な構成で回転側筐体３のさらなるぐらつきの防止が可能となる。しかも、装飾薄板１９の突条１９ａにより、装飾薄板１９と回転側筐体３内部との隙間を最小限にすることで、回転時のぐらつきがさらに防止される。
【００７３】
図５に示す横長状態でも、表示ディスプレイ２の左右方向中央部は、回転側筐体３の略左右方向中央に位置している。この状態で、固定側筐体５を手に持って横長状態の回転側筐体３を見ることができる。そして、表示ディスプレイ２に横長画像が大きく表示されるように設定して、操作部７でキー入力しながら、テレビからクイズ番組に参加したり、テレビショッピングや銀行振り込みなどをテレビを通じて利用したりする。また、回転側筐体３が横長状態かつ開いた状態で、固定側筐体５の背面側を机上に載置することにより、横長状態の表示ディスプレイ２にＴＶ画像を表示させた状態で長時間の視聴が可能となる。また、回転側筐体３が横長状態にあるときも、回転支持機構１０を回転側筐体３の移動用開口２５内に収納することができるので、回転支持機構１０が出っ張らず見映えがよい。
【００７４】
また、使用後は、上記とは反対に、表示ディスプレイ２の右側の下端側コーナー部３ｉを表面から見て反時計回りに回動させ、表示ディスプレイ２が縦長状態に戻る。この際も、回転支持機構１０が側方遮蔽部材４０及び下方遮蔽部材４１を徐々に押しのけながら移動すると共に、移動後に側方遮蔽部材４０及び下方遮蔽部材４１が徐々に元の位置に戻る。
【００７５】
そして、回転側筐体３と固定側筐体５とを折り畳んで待機状態とする。
【００７６】
以上説明した構成により、回転側筐体３に不測の衝撃が加わっても、移動用開口２５の周縁にも負荷が伝達されるので、回転支持機構１０にのみ負荷が集中するのが防止され、回転支持機構１０の損傷を効果的に防止することができる。
【００７７】
また、移動用開口２５が遮蔽部材４０，４１で覆われ、遮蔽部材４０，４１の表面と回転側筐体３の表面とが連続して見えるので、極めて見映えがよく、またごみが移動用開口２５から回転側筐体３内に入るのを防止することができる。さらに、指等が移動用開口２５内に入りにくくなるので、安全性を向上させることができる。
【００７８】
また、上記実施形態のようにガイド孔１３及びレール部１５の形状を設定することでヒンジ部４との接触が避けられるので、回転側筐体３の角部を丸める必要がなくなり、回転側筐体３を大きくすることができる。このため、表示ディスプレイ２を大きくしてＴＶ画像やインターネット画像を快適に見ることができる。
【００７９】
また、第１スライドピン１１と第２スライドピン１２とが連結部材２１で連結された状態で、連結部材２１とリンク部材１４とがガイドプレート１６を挟み込んでいるので、回転支持機構１０をユニット組立することができ、携帯端末の組立性を格段に向上させることができる。
【００８０】
したがって、本実施形態にかかる携帯電話機１によると、回転支持機構１０のガイドプレート１６に、回転側筐体３に連結された第１スライドピン１１及び第２スライドピン１２と、第１スライドピン１１をスライド規制するガイド孔１３とを設け、第２スライドピン１２とガイドプレート１６に設けた回動軸２３とをリンク部材１４で連結したことにより、回転支持機構１０の摩擦抵抗を小さくしながら、大きさを抑えることで携帯電話機１を外観のよいものとすることができる。
【００８１】
−変形例−
図４５及び図４６は本発明の実施形態の変形例を示し、主に捩りコイルバネ１２６の配置が異なる点で上記実施形態と異なる。なお、図１〜図４４と同じ部分については同じ符号を付してその詳細な説明は省略する。
【００８２】
すなわち、上記実施形態では、弾性部材として、ガイドプレート１６の背面側にコイル部が配置される捩りコイルバネ２６を設けたが、本変形例の捩りコイルバネ１２６では、一端がレール部１１５上端に回転自在に連結され、他端がリンク部材１１４に回転自在に連結されている。本変形例では、バネ用開口１３０は、上方に開口している。
【００８３】
そして、捩りコイルバネ１２６のコイル部１２６ａは、レール部１１５近傍における第２スライドピン１２と反対側のガイドプレート１１６と重ならない位置に配置され、コイル部１２６ａの巻き数によって増加する方向の高さ（厚さ）は、ガイドプレート１１６と、連結部材２１と、リンク部材１１４との厚さの和以下となっている。
【００８４】
このように、捩りコイルバネ１２６の高さを左右するコイル部１２６ａがガイドプレート１１６と重ならないレール部１１５材の近傍に配置されている。しかもコイル部１２６ａの高さがガイドプレート１１６と、連結部材２１と、リンク部材１１４との厚さの和以下であるので、捩りコイルバネ１２６を設けることで回転支持機構１０の厚さが増加することはない。
【００８５】
（その他の実施形態）
本発明は、上記実施形態について、以下のような構成としてもよい。
【００８６】
すなわち、上記実施形態では、回転側筐体３の移動用開口２５内に回転支持機構１０を移動させるようにしたが、特許文献１のような第１の筐体の表面側に回転側筐体としての液晶表示部を縦長状態と横長状態とに切換操作可能に支持するために上記実施形態の回転支持機構１０を用いてもよい。
【００８７】
また、上記実施形態では、ガイドプレート１６の上端のレール部１５の上方に肉を残しているが、この肉は必要ではなく、上端も下げることもでき、さらには、上記変形例のように、バネ用開口３０を上方に開放させてもよい。
【００８８】
また、上記実施形態では、回転側筐体３に表示ディスプレイ２を内蔵させたが、表示ディスプレイ２は、回転側筐体３及び固定側筐体５の両方に設けても、回転側筐体３又は固定側筐体５の一方にのみ設けてもよい。さらに表示ディスプレイ２をタッチパネルで構成してもよい。また、上記実施形態では、操作部７を固定側筐体５のみに設けているが、回転側筐体３にのみ設け、固定側筐体５に表示ディスプレイ２を設けてもよい。また、回転側筐体３に表示ディスプレイ２を設け、かつ一部にファンクションキーなどよりなる簡単な操作部７を設けるようにしてもよい。
【００８９】
また、ガイド孔１３及びリンク部材１４の形状を最適化することで、回転側筐体３の最適な回転軌跡が得られる。つまり、上記実施形態では、回転側筐体３を回転支持機構１０によって縦長状態から横長状態へ正面から見て時計回りに回転し、また、横長状態から縦長状態へ元に戻るように回転自在に支持したが、反時計回りに回転するようにしてもよい。その場合には、回転支持機構１０及び移動用開口２５を左右反転して配置すればよい。
【００９０】
上記実施形態では、第１スライドピン１１及び第２スライドピン１２をそれぞれ板状の連結部材２１で仮止めするようにしたが、それに限定されず、回転支持機構固定用孔３ｆ又は回転支持機構固定用孔３ｈ自体を第１スライドピン１１及び第２スライドピン１２としてもよい。
【００９１】
上記実施形態では、回転側筐体３の左右外側にヒンジボス部１７ａ，１８ａを設け、固定側筐体５の上側に膨出部５ａを設けたが、固定側筐体５の上側に一対のヒンジボス部を膨出させ、これらヒンジボス部の間に回転側筐体３の下端から延びる膨出部を挟むようにしてもよい。
【００９２】
上記実施形態では、携帯端末は、折畳み式携帯電話機１としたが、固定側筐体５は、回転側筐体３に対して折り畳み開閉不能に連結した、いわゆるストレートタイプの携帯で端末としてもよい。その場合には、回転支持機構１０は、ヒンジ部４を介さず固定側筐体５に直結すればよい。このストレートタイプの携帯端末であっても、回転支持機構１０が回転側筐体３の移動用開口２５内に収まるので、見映えがよい。
【００９３】
さらに、固定側筐体５ごと回転の際に移動用開口２５内を移動可能に構成してもよい。この場合、固定側筐体５を回転側筐体３の移動用開口２５内に完全に収めたコンパクトな形状とすることができる。
【００９４】
上記実施形態では、表示ディスプレイ２は液晶ディスプレイでも有機ＥＬディスプレイでもよい。有機ＥＬディスプレイは、自発光を発するため消費電力が小さく、液晶ディスプレイに比べて視野角が広く、かつバックライトを必要としないため、薄型化が可能である。液晶ディスプレイは、有機ＥＬディスプレイに比べて安価で寿命が長い。
【００９５】
上記実施形態では、携帯端末は、折畳み式携帯電話機としたが、ＰＨＳ、ＰＤＡ、ＰＣ、モバイルツール、電子辞書、電卓、ゲーム機等であってもよい。
【００９６】
なお、以上の実施形態は、本質的に好ましい例示であって、本発明、その適用物や用途の範囲を制限することを意図するものではない。
【符号の説明】
【００９７】
１      折畳み式携帯電話機（携帯端末）
３      回転側筐体
３ｉ    下端側コーナー部
４      ヒンジ部
４ａ    ヒンジ軸
１０      回転支持機構
１１      第１スライドピン（第１スライド部材）
１２      第２スライドピン（第２スライド部材）
１２ａ    環状凹部
１３      ガイド孔
１４      リンク部材
１５      レール部
１６      ガイドプレート
１６ｄ    延長部
１６ｅ    ヒンジ軸挿通孔
１９      装飾薄板
２１      連結部材
２３      回動軸
２５      移動用開口
２６      捩りコイルバネ（弾性部材）
３０      バネ用開口
４１      下方遮蔽部材
４１ａ    下方遮蔽部材本体（遮蔽部材本体）
４１ｄ    抜止め部
４３      板バネ
１１４      リンク部材
１１５      レール部
１１６      ガイドプレート
１２６      捩りコイルバネ（弾性部材）
１２６ａ    コイル部
【図１】
2011101329.tif 000003
【図２】
2011101329.tif 000004
【図３】
2011101329.tif 000005
【図４】
2011101329.tif 000006
【図５】
2011101329.tif 000007
【図６】
2011101329.tif 000008
【図７】
2011101329.tif 000009
【図８】
2011101329.tif 000010
【図９】
2011101329.tif 000011
【図１０】
2011101329.tif 000012
【図１１】
2011101329.tif 000013
【図１２】
2011101329.tif 000014
【図１３】
2011101329.tif 000015
【図１４】
2011101329.tif 000016
【図１５】
2011101329.tif 000017
【図１６】
2011101329.tif 000018
【図１７】
2011101329.tif 000019
【図１８】
2011101329.tif 000020
【図１９】
2011101329.tif 000021
【図２０】
2011101329.tif 000022
【図２１】
2011101329.tif 000023
【図２２】
2011101329.tif 000024
【図２３】
2011101329.tif 000025
【図２４】
2011101329.tif 000026
【図２５】
2011101329.tif 000027
【図２６】
2011101329.tif 000028
【図２７】
2011101329.tif 000029
【図２８】
2011101329.tif 000030
【図２９】
2011101329.tif 000031
【図３０】
2011101329.tif 000032
【図３１】
2011101329.tif 000033
【図３２】
2011101329.tif 000034
【図３３】
2011101329.tif 000035
【図３４】
2011101329.tif 000036
【図３５】
2011101329.tif 000037
【図３６】
2011101329.tif 000038
【図３７】
2011101329.tif 000039
【図３８】
2011101329.tif 000040
【図３９】
2011101329.tif 000041
【図４０】
2011101329.tif 000042
【図４１】
2011101329.tif 000043
【図４２】
2011101329.tif 000044
【図４３】
2011101329.tif 000045
【図４４】
2011101329.tif 000046
【図４５】
2011101329.tif 000047
【図４６】
2011101329.tif 000048
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
回転側筐体と、
固定側筐体と、
上記固定側筐体に連結され、上記回転側筐体を、縦長状態から横長状態へ又は横長状態から縦長状態へ回転自在に支持する回転支持機構とを備え、
上記回転支持機構は、
ガイドプレートと、
上記回転側筐体に連結され、上記回転の際に上記ガイドプレートに対してスライド移動する第１スライド部材及び第２スライド部材と、
上記ガイドプレートに形成され、上記第１スライド部材をスライド規制するガイド孔と、
上記第２スライド部材と、上記ガイドプレートに設けた回動軸とを、該第２スライド部材と該回転軸との間の距離を不変に連結するリンク部材とを備えている
ことを特徴とする携帯端末。
【請求項２】
請求項１に記載の携帯端末において、
上記第２スライド部材の外周には、環状凹部が形成され、
上記ガイドプレートにおける上記ガイド孔の上方には、上記環状凹部が嵌り込み、上記第２スライド部材が該ガイドプレートの厚さ方向にずれるのを規制するレール部が形成されている
ことを特徴とする携帯端末。
【請求項３】
請求項１又は２に記載の携帯端末において、
上記回転側筐体が横長状態のときの第２スライド部材の上記ガイド孔からの距離は、該回転側筐体が縦長状態のときの上記第２スライド部材の上記ガイド孔からの距離よりも近くなっている
ことを特徴とする携帯端末。
【請求項４】
請求項１乃至３のいずれか１つに記載の携帯端末において、
上記ガイドプレートと、上記リンク部材とは、板材で構成され、
上記第１スライド部材と上記第２スライド部材とは、上記ガイドプレートの一方側に配置された板状の連結部材で連結され、
上記リンク部材は、上記ガイドプレートの他方側に配置され、
上記連結部材と上記リンク部材とが上記ガイドプレートを挟み込んでいる
ことを特徴とする携帯端末。
【請求項５】
請求項４に記載の携帯端末において、
上記連結部材及び上記リンク部材の少なくとも一方には、上記回転側筐体の回転を補助する弾性部材が連結され、
上記弾性部材は、上記第１スライド部材と上記第２スライド部材とが上記連結部材で連結された状態で、上記ガイドプレートに対して組み付けられている
ことを特徴とする携帯端末。
【請求項６】
請求項５に記載の携帯端末において、
上記弾性部材は、一端が上記ガイドプレートの上端における上記一方側の面に回転自在に連結され、他端が上記レール部に沿って開口されたバネ用開口内を通って上記リンク部材における上記一方側の面に回転自在に連結された捩りコイルバネである
ことを特徴とする携帯端末。
【請求項７】
請求項５に記載の携帯端末において、
上記弾性部材は、一端が上記レール部上端に回転自在に連結され、他端が上記リンク部材に回転自在に連結された捩りコイルバネであり、
上記捩りコイルバネのコイル部は、上記レール部近傍における上記第２スライド部材と反対側の上記ガイドプレートと重ならない位置に配置され、該コイル部の高さは、上記ガイドプレートと、上記連結部材と、上記リンク部材との厚さの和以下である
ことを特徴とする携帯端末。
【請求項８】
請求項１乃至７のいずれか１つに記載の携帯端末において、
上記回転側筐体の側面における厚さ方向中間には、上記回転支持機構が移動するのを許容する移動用開口が形成されている
ことを特徴とする携帯端末。
【請求項９】
請求項８に記載の携帯端末において、
上記移動用開口内を移動する上記回転支持機構により、該回転側筐体の厚さ方向に傾斜しながらスライドされ、上記横長状態において上記回転側筐体の下端側コーナー部の上記移動用開口を閉じ、上記縦長状態において上記回転側筐体に完全に収容される下方遮蔽部材を備え、
上記下方遮蔽部材は、
上記回転側筐体の下端側コーナー部に配置される下方遮蔽部材本体と、
上記下方遮蔽部材本体を上記移動用開口を塞ぐ方向に付勢する板バネとを備えている
ことを特徴とする携帯端末。
【請求項１０】
請求項９に記載の携帯端末において、
上記回転支持機構は、金属製の薄板で覆われ、
上記下方遮蔽部材本体は、樹脂成形品で構成されている
ことを特徴とする携帯端末。
【請求項１１】
請求項９又は１０に記載の携帯端末において、
上記下方遮蔽部材本体には、組付時に上記回転側筐体に抜け止めするための抜止め部を備えている
ことを特徴とする携帯端末。
【請求項１２】
請求項１乃至１１のいずれか１つに記載の携帯端末において、
上記回転側筐体と上記固定側筐体とは、ヒンジ部によって折り畳み自在に連結され、
上記ガイドプレートの上記ヒンジ部側の端部は折り曲げられ、該折り曲げられた部分のヒンジ軸挿通孔には上記回転側筐体と上記固定側筐体との折畳み動作を補助する付勢機構を備えたヒンジ軸が回転不能に組み付けられている
ことを特徴とする携帯端末。
【手続補正２】
【補正対象書類名】明細書
【補正対象項目名】全文
【補正方法】変更
【補正の内容】
【発明の詳細な説明】
【技術分野】
【０００１】
本発明は、回転側筐体が縦長状態から横長状態へ又は横長状態から縦長状態へ回転自在に支持された携帯端末に関するものである。
【背景技術】
【０００２】
近年、地上デジタルテレビ放送の開始に伴い、携帯電話機に代表される携帯端末はＴＶ受信機能やインターネット接続機能を備えるようになってきている。このため、携帯端末は、その携帯性を向上させることと、表示画面を大きくして画像を見やすくすることとの両立を図る必要がある。さらには、ＴＶ画像やインターネット画面の性質上、表示画面を横長状態にしてＴＶ視聴やインターネット接続を行いたいというニーズがある。
【０００３】
そこで、例えば、特許文献１のように、第１の筐体と第２の筐体とをヒンジ部で折り畳み開閉自在に連結し、第１の筐体に液晶表示部を縦長状態と横長状態とに切換操作可能に支持する折畳み式携帯電話機が知られている。この折畳み式携帯電話機は、ガイドプレートに設けられ左右方向に延びかつ中凸状に湾曲した曲線状の左右方向ガイド溝と、ガイドプレートに設けられ上下方向に延びる直線状の上下方向ガイド溝と、液晶表示部の背面に設けられ上記左右方向ガイド溝にスライド自在に係合する第１ガイドピンと、液晶表示部の背面に設けられ上下方向ガイド溝にスライド自在に係合する第２ガイドピンとを備えている。
【先行技術文献】
【特許文献】
【０００４】
【特許文献１】特開２００６−２１１５７６号公報
【発明の概要】
【発明が解決しようとする課題】
【０００５】
しかしながら、上記特許文献１では、特に横長状態において液晶表示部を第１の筐体に対して捩る力にも耐える必要があり、一対のガイドピンの嵌合部がそれぞれ別々のガイド溝にしっかりと嵌合するように構成されている。このため、ガイドピンとガイド溝との間での摩擦が発生しやすい構造となっており、捩りコイルバネの付勢力が液晶表示部に伝わりにくくなって、回転を補助する作用が十分に生かされないという問題がある。
【０００６】
しかも、液晶表示部を大きくするとヒンジ部との接触を避けるためには、上下方向ガイド溝の上端を上げる必要があり、そうすると、その周縁がガイドプレートの上端となるので、ガイドプレートのサイズが大きくなって第１の筐体のサイズが大きくなる。横長状態のときの液晶表示部の上辺からその背面側に配置される第１の筐体の上端が飛び出すと外観が悪化するので、それを避けるには、横長状態の上辺を上げざるを得ず、その結果、横長状態における液晶表示部の下辺と、ヒンジ部との間に隙間ができて外観が悪化する場合があるという問題がある。
【０００７】
本発明は、かかる点に鑑みてなされたものであり、その目的とするところは、回転支持機構の摩擦抵抗を小さくしながら、大きさを抑えて外観のよいものとすることにある。
【課題を解決するための手段】
【０００８】
上記の目的を達成するために、この発明では、第２スライド部材と、ガイドプレートに設けた回動軸とをリンク部材で連結した。
【０００９】
具体的には、第１の発明では、
回転側筐体と、
固定側筐体と、
上記固定側筐体に連結され、上記回転側筐体を、縦長状態から横長状態へ又は横長状態から縦長状態へ回転自在に支持する回転支持機構とを備え、
上記回転支持機構は、
ガイドプレートと、
上記回転側筐体に連結され、上記回転の際に上記ガイドプレートに対してスライド移動する第１スライド部材及び第２スライド部材と、
上記ガイドプレートに形成され、上記第１スライド部材をスライド規制するガイド孔と、
上記第２スライド部材と、上記ガイドプレートに設けた回動軸とを、該第２スライド部材と該回転軸との間の距離を不変に連結するリンク部材とを備えている。
【００１０】
上記の構成によると、固定側筐体に連結された回転支持機構の第１スライド部材はガイド孔によって、第２スライド部材は、この第２スライド部材と回転軸との間の距離を不変に連結するリンク部材によって第１スライド部材と連動しながら、それぞれガイドプレートに対して移動規制される。このように移動規制される第１スライド部材及び第２スライド部材に連結された回転側筐体は、その回転軌跡が制御される。回転側筐体の回転中には、第２スライド部材は、第１スライド部材のようにガイド孔に対して摺動しないので、その分摩擦抵抗が減って回転しやすくなる。また、第２スライド部材がガイド孔を必要としないので、第２ガイド孔の移動範囲の上端よりも上方にガイドプレートの肉を残す必要がなく、ガイドプレートの上端位置が低くなり、回転側筐体の横長状態の位置を低くすることができる。その結果、縦長状態における回転側筐体の下辺の位置と、横長状態における回転側筐体の下辺の位置との間で高さの差を小さくすることができ、見映えがよくなる。
【００１１】
第２の発明では、第１の発明において、
上記第２スライド部材の外周には、環状凹部が形成され、
上記ガイドプレートにおける上記ガイド孔の上方には、上記環状凹部が嵌り込み、上記第２スライド部材が該ガイドプレートの厚さ方向にずれるのを規制するレール部が形成されている。
【００１２】
上記の構成によると、第２スライド部材の環状凹部がレール部に嵌ったまま移動するので、第２スライド部材が厚さ方向にずれず、回転側筐体の回転動作が安定する。この場合でも、環状凹部はレール部側のみ摺接するので、従来のように第２スライド部材の両側でガイド孔の周縁に摺接する場合に比べて摩擦抵抗が小さい。
【００１３】
第３の発明では、第１又は第２の発明において、
上記回転側筐体が横長状態のときの第２スライド部材の上記ガイド孔からの距離は、該回転側筐体が縦長状態のときの上記第２スライド部材の上記ガイド孔からの距離よりも近くなっている。
【００１４】
上記の構成によると、ガイド孔の形状を調整することで、回転側筐体が横長状態のときの第２スライド部材のガイド孔からの距離が近くなり、その結果、回転側筐体のサイズが大きくても、さらに縦長状態における回転側筐体の下辺の位置と、横長状態における回転側筐体の下辺の位置との間で高さの差を小さくすることが容易となる。
【００１５】
第４の発明では、第１乃至第３のいずれか１つの発明において、
上記ガイドプレートと、上記リンク部材とは、板材で構成され、
上記第１スライド部材と上記第２スライド部材とは、上記ガイドプレートの一方側に配置された板状の連結部材で連結され、
上記リンク部材は、上記ガイドプレートの他方側に配置され、
上記連結部材と上記リンク部材とが上記ガイドプレートを挟み込んでいる。
【００１６】
上記の構成によると、第１スライド部材と第２スライド部材とが連結部材で連結された状態で、連結部材とリンク部材とがガイドプレートを挟み込んでいるので、回転支持機構をユニット組立することができ、携帯端末の組立性が格段に向上する。また、ガイドプレートとリンク部材と連結部材とが板材で構成されているので、回転支持機構の厚さが抑えられ、そのことで携帯端末全体の厚さが抑えられる。
【００１７】
第５の発明では、第４の発明において、
上記連結部材及び上記リンク部材の少なくとも一方には、上記回転側筐体の回転を補助する弾性部材が連結され、
上記弾性部材は、上記第１スライド部材と上記第２スライド部材とが上記連結部材で連結された状態で、上記ガイドプレートに対して組み付けられている。
【００１８】
上記の構成によると、第２スライド部材にかかる摩擦抵抗が小さいため、弾性部材による回転側筐体の回転補助効果が十分に発揮される。また、弾性部材もガイドプレートにユニット組立可能であるので、携帯端末の組立が容易である。
【００１９】
第６の発明では、第５の発明において、
上記弾性部材は、一端が上記ガイドプレートの上端における上記一方側の面に回転自在に連結され、他端が上記レール部に沿って開口されたバネ用開口内を通って上記リンク部材における上記一方側の面に回転自在に連結された捩りコイルバネである。
【００２０】
上記の構成によると、捩りコイルバネの他端が第２スライド部材（回転側筐体）を直接付勢するのではなく、リンク部材を介して付勢しているので、てこの原理を利用することができ、回転側筐体の回転補助効果がさらに発揮されやすくなる。また、捩りコイルバネの他端とリンク部材との連結部をバネ用開口内の空いたスペースに配置できるので、回転支持機構の厚さが抑えられる。
【００２１】
第７の発明では、第５の発明において、
上記弾性部材は、一端が上記レール部上端に回転自在に連結され、他端が上記リンク部材に回転自在に連結された捩りコイルバネであり、
上記捩りコイルバネのコイル部は、上記レール部近傍における上記第２スライド部材と反対側の上記ガイドプレートと重ならない位置に配置され、該コイル部の高さは、上記ガイドプレートと、上記連結部材と、上記リンク部材との厚さの和以下である。
【００２２】
上記の構成によると、捩りコイルバネの巻き数によって増加する方向の高さ（厚さ）を左右するコイル部がガイドプレートと重ならないレール部材の近傍に配置され、しかもその高さがガイドプレートと、連結部材と、リンク部材との厚さの和以下であるので、捩りコイルバネを設けることで回転支持機構の厚さが増加することはない。
【００２３】
第８の発明では、第１乃至第７のいずれか１つの発明において、
上記回転側筐体の側面における厚さ方向中間には、上記回転支持機構が移動するのを許容する移動用開口が形成されている。
【００２４】
上記の構成によると、回転側筐体が縦長状態又は横長状態にあるときに、回転支持機構を回転側筐体の移動用開口内に収納することができるので、回転支持機構が出っ張らず見映えがよい。また、回転支持機構が常に移動用開口内を移動するので、回転側筐体が回転中には、移動用開口とのクリアランス内でしかぐらつかず、また、回転側筐体に不測の衝撃が加わっても、移動用開口の周縁にも負荷が伝達されるので、回転支持機構にのみ負荷が集中するのが防止され、回転支持機構が損傷しにくくなる。しかも、回転支持機構の厚さが抑えられているので、移動用開口の幅が小さくなり、回転側筐体の厚さも抑えられる。
【００２５】
第９の発明では、第８の発明において、
上記移動用開口内を移動する上記回転支持機構により、該回転側筐体の厚さ方向に傾斜しながらスライドされ、上記横長状態において上記回転側筐体の下端側コーナー部の上記移動用開口を閉じ、上記縦長状態において上記回転側筐体に完全に収容される下方遮蔽部材を備え、
上記下方遮蔽部材は、
上記回転側筐体の下端側コーナー部に配置される下方遮蔽部材本体と、
上記下方遮蔽部材本体を上記移動用開口を塞ぐ方向に付勢する板バネとを備えている。
【００２６】
上記の構成によると、横長状態で回転側筐体の下端側コーナー部に位置する移動用開口を閉じていた下方遮蔽部材が、回転側筐体が縦長状態に切り換えられるときに、回転支持機構が移動用開口内を移動するのに伴って押しのけられるように厚さ方向に傾斜しながらスライドして回転側筐体内に収容されるので、回転側筐体の回転動作を阻害しない。逆に縦長状態から横長状態へ回転するのに伴って回転支持機構が出て行く移動用開口は、回転側筐体からスライドして出てくる下方遮蔽部材によって徐々に閉じられるので、縦長状態と横長状態とのいずれの状態でも移動用開口が塞がって見映えがよい上に、ごみが移動用開口から入らない。また、下方遮蔽部材は、板バネによって移動用開口を塞ぐ方向に付勢されるので、縦長状態において回転支持機構が移動用開口内に収容された状態から横長状態へ回転するときに、下方遮蔽部材本体が板バネによって付勢されて自動的に移動用開口を塞ぐ。このため、下方遮蔽部材の開閉操作が不要となる。
【００２７】
第１０の発明では、第９の発明において、
上記回転支持機構は、金属製の薄板で覆われ、
上記下方遮蔽部材本体は、樹脂成形品で構成されている。
【００２８】
上記の構成によると、下方遮蔽部材本体の形状が複雑な場合でも成形が容易であると共に、塗装が容易なので、移動用開口を閉じたときの外観がよい。しかも、回転支持機構が金属薄板で覆われているので、樹脂成形品と金属とが摺接し、金属同士の摺接に比べて滑りが滑らかで、塗装もはげにくくなる。さらに樹脂成形品であるため、回転側筐体の回転中に傾動しても、金属製の場合のように携帯端末の電子部品に悪影響を与えることはない。
【００２９】
第１１の発明では、第９又は第１０の発明において、
上記下方遮蔽部材本体には、組付時に上記回転側筐体に抜け止めするための抜止め部を備えている。
【００３０】
上記の構成によると、遮蔽部材本体を回転側筐体に仮止めしたときに、抜止め部があるので、下方遮蔽部材本体が抜けず、組付作業が容易となる。
【００３１】
第１２の発明では、第１乃至第１１のいずれか１つの発明において、
上記回転側筐体と上記固定側筐体とは、ヒンジ部によって折り畳み自在に連結され、
上記ガイドプレートの上記ヒンジ部側の端部は折り曲げられ、該折り曲げられた部分のヒンジ軸挿通孔には上記回転側筐体と上記固定側筐体との折畳み動作を補助する付勢機構を備えたヒンジ軸が回転不能に組み付けられている。
【００３２】
上記の構成によると、回転側筐体に第１及び第２スライド部材を介して連結されたガイドプレートに対し、回転側筐体と固定側筐体との折畳み動作を補助する付勢機構を備えたヒンジ軸を直接組み付けているので、従来のように別部品として構成されたヒンジ軸を支持機構を覆う筐体に取り付ける場合に比べてガタが生じにくい。このため、回転側筐体と固定側筐体とのガタが抑制される。また、従来に比べて第２スライド部材のためのガイド孔が必要ないので、ガイドプレートの上端が低くなる。このため、横長状態における回転側筐体の上辺を下げることができ、その結果、ヒンジ部と横長状態における回転側筐体の下辺との間の隙間が小さくなり、外観がよい。
【発明の効果】
【００３３】
以上説明したように、本発明によれば、固定側筐体に連結された回転支持機構のガイドプレートに、回転側筐体に連結された第１スライド部材及び第２スライド部材と、第１スライド部材をスライド規制するガイド孔とを設け、第２スライド部材とガイドプレートに設けた回動軸とを両者の間の距離が不変となるようにリンク部材で連結したことにより、回転支持機構の摩擦抵抗を小さくしながら、大きさを抑えることで携帯端末を外観のよいものとすることができる。
【図面の簡単な説明】
【００３４】
【図１】本発明の実施形態にかかる回転側筐体が縦長状態のときの回転支持機構の主要部を示す背面図である。
【図２】折り畳み状態にある携帯電話機を示す斜視図である。
【図３】回転側筐体が縦長状態の携帯電話機を正面側から見た斜視図である。
【図４】回転側筐体を縦長状態又は横長状態に切り換える途中の携帯電話機を正面側から見た斜視図である。
【図５】回転側筐体が横長状態のときの携帯電話機を正面側から見た斜視図である。
【図６】回転側筐体が縦長状態の携帯電話機を背面側から見た斜視図である。
【図７】回転側筐体を縦長状態又は横長状態に切り換える途中の携帯電話機を背面側から見た斜視図である。
【図８】回転側筐体が横長状態のときの携帯電話機を背面側から見た斜視図である。
【図９】回転側筐体及び回転支持機構を背面側から見た分解斜視図である。
【図１０】正面側キャビネットを背面側から見た斜視図である。
【図１１】正面側キャビネットを正面側から見た斜視図である。
【図１２】正面側キャビネットの右側面図である。
【図１３】背面側キャビネットを正面側から見た斜視図である。
【図１４】背面側キャビネットの右側面図である。
【図１５】背面側キャビネットを取り外した状態で、回転側筐体が縦長状態における回転支持機構及び回転側筐体の様子を示す斜視図である。
【図１６】回転側筐体が縦長状態又は横長状態に切り換える途中の図１５相当図である。
【図１７】回転側筐体が横長状態における図１５相当図である。
【図１８】背面側キャビネットを取り外した状態の回転側筐体が縦長状態における回転支持機構及び回転側筐体の様子を示す背面図である。
【図１９】回転側筐体が縦長状態又は横長状態に切り換える途中の図１８相当図である。
【図２０】回転側筐体が横長状態における図１８相当図である。
【図２１】回転支持機構の分解斜視図である。
【図２２】回転側筐体が縦長状態における回転支持機構の主要部を背面側から見た斜視図である。
【図２３】回転側筐体が縦長状態における回転支持機構の主要部を正面側から見た斜視図である。
【図２４】回転側筐体が縦長状態又は横長状態に切り換える途中における図２３相当図である。
【図２５】回転側筐体が横長状態における図２３相当図である。
【図２６】回転側筐体が縦長状態における回転支持機構の左側面図である。
【図２７】回転側筐体が縦長状態における回転支持機構の上面図である。
【図２８】回転側筐体が縦長状態における回転支持機構の底面図である。
【図２９】信号線が収容された正面側ヒンジ部筐体を背面側から見た斜視図である。
【図３０】背面側ヒンジ部筐体を背面側から見た斜視図である。
【図３１】側方遮蔽部材を拡大して示す斜視図である。
【図３２】下方遮蔽部材本体が仮止めされた正面側キャビネットの背面図である。
【図３３】図３２のXXXIII−XXXIII線断面図である。
【図３４】図３２のXXXIV−XXXIV線断面図である。
【図３５】下方遮蔽部材本体を外して板バネが露出する状態の正面側キャビネットの背面図である。
【図３６】図３５のXXXVI−XXXVI線断面図である。
【図３７】下方遮蔽部材を拡大して示す斜視図である。
【図３８】下方遮蔽部材本体を拡大して示す斜視図である。
【図３９】下方遮蔽部材本体を拡大して別方向から見た斜視図である。
【図４０】板バネを拡大して示す斜視図である。
【図４１】板バネを拡大して別方向から見た斜視図である。
【図４２】板バネの自由形状を拡大して示す底面図である。
【図４３】板バネの圧縮形状を拡大して示す底面図である。
【図４４】板バネの展開図を拡大して示す正面図である。
【図４５】本発明の実施形態の変形例にかかる回転側筐体が縦長状態のときの回転支持機構の主要部を示す斜視図である。
【図４６】本発明の実施形態の変形例にかかる回転支持機構の主要部を別の方向から見た図４５相当図である。
【発明を実施するための形態】
【００３５】
以下、本発明の実施形態を図面に基づいて説明する。
【００３６】
図２〜図８に示すように、本発明の実施形態の携帯端末としての折畳み式携帯電話機１は、正面側に表示ディスプレイ２が内蔵された薄板状の回転側筐体３を備えている。この回転側筐体３は、ヒンジ部４を中心に固定側筐体５と折り畳み自在に連結されている。このため、図２に示すように、回転側筐体３と固定側筐体５とを折り畳んだときには、薄い直方体形状となっている。一方、図３に示すように、回転側筐体３をヒンジ部４を中心に開くと、縦長の表示ディスプレイ２が正面に現れるようになっている。
【００３７】
図３に示すように、固定側筐体５には、携帯電話機１の各種機能を操作する操作部７が内蔵され、例えば正面側にファンクションキー７ａや文字キー７ｂが配置されている。これらのキー７ａ，７ｂの上に描かれた文字は、固定側筐体５を縦長に持ったときに読みやすいように描かれている。これらのキー７ａ，７ｂの背面側には、図示しないメイン基板が配置されている。図６に示すように、固定側筐体５の背面側には、矩形状のバッテリーカバー８が設けられ、その内部にバッテリー（図示せず）が内蔵されている。また、固定側筐体５には、カメラ部２２が設けられている。一方、回転側筐体３にも簡単なカメラを設けてもよい。また、回転側筐体３又は固定側筐体５内には、図示しないＴＶチューナが内蔵され、ＴＶ受信可能となっている。
【００３８】
図９にも示すように、回転側筐体３は、いずれも矩形皿状の正面側キャビネット３ａと背面側キャビネット３ｂとが厚さ方向に平行な分割面３ｃで結合されて形成されている。正面側キャビネット３ａと背面側キャビネット３ｂとは、樹脂成型品でも金属成型品でもよいが、本実施形態では、図１０〜図１２に示すように、正面側キャビネット３ａは、マグネシウム合金等の軽量かつ剛性の高い材料で構成されている。図１１に示すように、正面側キャビネット３ａの正面側には、上記表示ディスプレイ２を背面側に表示用基板（図示せず）を配置した状態で収容するディスプレイ収容凹部３ｄが形成されている。ディスプレイ収容凹部３ｄに表示ディスプレイ２を嵌め込んだ状態で正面側からアクリル板やガラス板よりなるディスプレイ用カバー９（図３等に示す）で覆われている。正面側キャビネット３ａには、上端の２箇所と下方一箇所に、この正面側キャビネット３ａと背面側キャビネット３ｂとを締結するためのキャビ締結用貫通孔３ｅが形成されている。そして、図１０に示すように、正面側キャビネット３ａの左右中央かつ上下中間部分には、一対の回転支持機構固定用孔３ｆが斜めに所定の距離を空けて配置されている。本実施形態では、上側の回転支持機構固定用孔３ｆは、雌ネジを備えたボス形状に、下側の回転支持機構固定用孔３ｆは、貫通孔にそれぞれ形成されている。
【００３９】
図１３及び図１４に示すように、背面側キャビネット３ｂの正面には、上記キャビ締結用貫通孔３ｅに対応する位置に、雌ネジを備えたボス形状のキャブ締結用孔３ｇが形成されている。また、一対の回転支持機構固定用孔３ｆに対応する位置に回転支持機構固定用孔３ｈが形成されている。キャビ締結用貫通孔３ｅに対応させて下側の回転支持機構固定用孔３ｈは、雌ネジを備えたボス形状に、上側の回転支持機構固定用孔３ｈは、貫通孔にそれぞれ形成されている。なお、図１３に示すように、背面側キャビネット３ｂの上側には、矩形状の背面ディスプレイ用開口６が形成され、この部分に、サブディスプレイ６ａ（図１５等に示す）が配置され、時刻等を表示可能に構成されている。
【００４０】
そして、上記回転側筐体３は、回転支持機構１０によって図３に示す縦長状態から図５に示す横長状態へ正面から見て時計回りに回転し、また、横長状態から縦長状態へ元に戻るように回転自在に支持されている。この回転側筐体３は、図４等に示すように、ヒンジ部４（後述するヒンジボス部１７ａ，１８ａ及び膨出部５ａ）と所定の距離を空けながら回転するように構成されている。このため、回転側筐体３の角部を丸める必要がなくなり、表示ディスプレイ２が大きく形成されている。また、図５に示すように、回転側筐体３が横長状態かつ開いた状態で、固定側筐体５の背面側を机上等の載置面に載置可能となっている。
【００４１】
図１５〜図２０に背面側キャビネット３ｂを取り外した状態の回転側筐体３の斜視図及び背面図を示す。図１及び図２２〜図２８にも示すように、回転支持機構１０は、回転の際にスライド移動する第１スライド部材としての第１スライドピン１１及び第２スライド部材としての第２スライドピン１２と、第１スライドピン１１を水平方向に山形にスライド規制するガイド孔１３とが設けられたステンレス鋼等よりなるガイドプレート１６を備えている。第１スライドピン１１及び第２スライドピン１２は、それぞれガイドプレート１６の背面側キャビネット３ｂ（背面）側に配置された板状の連結部材２１に対し、端部をかしめるなどにより、連結されている。
【００４２】
図２２等に示すように、背面側から見てガイドプレート１６の右上端部には、回動軸２３が設けられている。この回動軸２３には、一端が第２スライドピン１２に回転可能に連結されたリンク部材１４の他端が回転可能に連結されている。リンク部材１４は、例えば、略Ｌ字状の板材よりなる。第２スライドピン１２の外周には、連結部材２１とリンク部材１４とに挟まれることで、環状凹部１２ａが形成されている。
【００４３】
そして、ガイドプレート１６におけるガイド孔１３の上方には、環状凹部１２ａが嵌り込むレール部１５が形成されている。この環状凹部１２ａがレール部１５に嵌り込むことで、第２スライドピン１２がガイドプレート１６の厚さ方向にずれるのが規制されている。リンク部材１４は、ガイドプレート１６の正面側キャビネット３ａ側（正面側）に配置されており、連結部材２１とリンク部材１４とがガイドプレート１６を挟み込んだ状態となっている。これらガイドプレート１６とリンク部材１４と連結部材２１とが板材で構成されているので、回転支持機構１０の厚さが抑えられている。
【００４４】
ガイド孔１３、リンク部材１４及びレール部１５の形状としては、種々のものが考えられるが、例えば、ガイド孔１３は、上方へ膨らんだ中凸曲線状に形成されている。レール部１５は、ガイド孔１３の上方に形成され、第２スライドピン１２の移動軌跡に合わせて上下に曲線状に延びている。
【００４５】
リンク部材１４には、回転側筐体３の回転を補助する弾性部材としての捩りコイルバネ２６が連結されている。具体的には、捩りコイルバネ２６は、一端の環状部がガイドプレート１６の上端の第１支持ピン２６ａに回転自在に連結され、他端がレール部１５に沿って開口されたバネ用開口３０内を通って、その環状部がリンク部材１４におけるガイドプレート１６側（背面側）の第２支持ピン２６ｂに回転自在に連結されている。捩りコイルバネ２６は、第１スライドピン１１と第２スライドピン１２とが連結部材２１で連結された状態で、ガイドプレート１６に対して組み付けられている。捩りコイルバネ２６の他端が第２スライドピン１２（回転側筐体３）を直接付勢するのではなく、リンク部材１４を介して第２スライドピン１２を付勢しているので、てこの原理を利用することができ、回転側筐体３の回転補助効果が発揮されやすくなっている。また、捩りコイルバネ２６の他端とリンク部材１４との連結部をバネ用開口３０内の空いたスペースに配置できるので、回転支持機構１０の厚さが抑えられている。
【００４６】
ガイドプレート１６は、例えば、ステンレス鋼板よりなり、ガイドプレート１６の上側に上記ガイド孔１３及びレール部１５が形成され、その下方には、軽量化のために四角形等の複数の貫通孔１６ａが開口されている。ガイドプレート１６の上下中間の左右には、一対のネジ挿通孔１６ｂが形成されている。ガイドプレート１６の下端は、下方に延びた一対の脚部１６ｃを備えている。一対の脚部１６ｃは、厚さ方向（正面側キャビネット３ａ側）へ折り曲げられる延長部１６ｄをそれぞれ有し、正面から見て左側の延長部１６ｄにはヒンジ軸挿通孔１６ｅが開口されている。一方、右側の延長部１６ｄにはそのような孔は形成されていない。
【００４７】
図２１にも示すように、ガイドプレート１６は、厚さ方向に分割された正面側ヒンジ部筐体１７及び背面側ヒンジ部筐体１８で挟まれている。図２９に示すように、正面側ヒンジ部筐体１７は、ヒンジ部４を構成する左右のヒンジボス部１７ａと、これらヒンジボス部１７ａから上方に延び、ガイドプレート１６の左右側面を覆う装飾側面部１７ｂとを有し、正面側が金属製の装飾薄板１９で覆われている。背面から見たときに、左側の装飾側面部１７ｂの方が右側の装飾側面部１７ｂよりも長くなっている。装飾側面部１７ｂは、背面側キャビネット３ｂと同じ材料で同じ色彩であれば見映えがよい。装飾薄板１９は、例えば、プレス成形され塗装等により色彩が施されたステンレスの薄板よりなる。正面側ヒンジ部筐体１７と装飾薄板１９とは、例えば、樹脂を流し込む際に一体に成型される。
【００４８】
図２９に示すように、背面から見て左側の装飾側面部１７ｂには、回転側筐体３の厚さ方向に突出する突起部２７が形成されている。一方、図１３に示すように、回転側筐体３の背面側キャビネット３ｂ内面には、この突起部２７が回転の際に摺動する略扇形のスライド用凹部２８が形成されている。
【００４９】
図３０に示すように、背面側ヒンジ部筐体１８は、ヒンジ部４を構成する左右のヒンジボス部１８ａを有し、背面側が金属製の装飾薄板１９で覆われている。背面側ヒンジ部筐体１８と装飾薄板１９とは、同様に樹脂を流し込む際に一体に成型される。正面側ヒンジ部筐体１７及び背面側ヒンジ部筐体１８にそれぞれ設けられた表裏一対の装飾薄板１９には、上下又は斜めに延びる複数の突条１９ａが形成され、いずれもガイドプレート１６を固定するためのネジ挿通孔１９ｂを備えている。また、背面から見て左上側の位置には、表裏の装飾薄板１９同士を固定するネジ挿通孔１９ｃが形成されている。
【００５０】
また、図２９等に示すように、背面側から見て左側のヒンジボス部１７ａ，１８ａ内には、表示用基板とメイン基板とを電気的に接続する信号線２０が通っている。詳しくは図示しないが、信号線２０は、多数の細線が撚られた例えば一対の細線ケーブルよりなり、背面側から見て左側の装飾側面部１７ｂの右方に形成した信号用凹部１７ｃに収容される幅広の幅広部２０ａと、この幅広部２０ａから延び、回転側筐体３の回転に伴い、回転側筐体３内を折れ曲がりながら移動する一対の断面円形状に撚られた円形部２０ｂとを備えている。また、信号線２０は、その幅広部２０ａが上記表裏の装飾薄板１９で覆われることで回転側筐体３の回転時に損傷しないように保護されている。図１０、図１５等に示すように、信号線２０の先端は、正面側キャビネット３ａに形成した信号線用開口２９の上端に固定した信号線挿通用部材２０ｃを通って表示ディスプレイ２に接続されている。この信号線挿通用部材２０ｃは、内部に防水用ゴムを備え、この防水用ゴムにより、信号線２０が確実に固定されると共に、回転支持機構１０側から表示ディスプレイ２側への水や粉塵の浸入が防止されている。
【００５１】
これらガイドプレート１６、第１スライドピン１１、第２スライドピン１２、リンク部材１４、連結部材２１、正面側ヒンジ部筐体１７、背面側ヒンジ部筐体１８、装飾薄板１９、捩りコイルバネ２６等が、回転支持機構１０を構成している。そして、正面側ヒンジ部筐体１７及び背面側ヒンジ部筐体１８における回転側筐体３が縦長状態のときに隠れる部分は、それぞれ装飾薄板１９で覆われているので、厚さの増大を抑えつつ強度及び耐摩耗性が向上すると共に、回転側筐体３の回転中に露出する部分の見映えがよくなっている。また、突条１９ａにより、装飾薄板１９と回転側筐体３内部との隙間を最小限にすることで、回転時のぐらつきが防止されている。
【００５２】
一方、図１等に示すように、第１スライドピン１１及び第２スライドピン１２は、それぞれ中心に正面側キャビネット３ａの回転支持機構固定用孔３ｆ又は背面側キャビネット３ｂの回転支持機構固定用孔３ｈが挿通されるボス挿通孔１１ａ，１２ｂを備えている。ガイドプレート１６に第１スライドピン１１及び第２スライドピン１２をユニット組立した状態で、図９、図１８等に示すように、ボス挿通孔１１ａ，１２ｂに回転支持機構固定用孔３ｆ又は回転支持機構固定用孔３ｈを挿通し、締結部材６３を回転支持機構固定用孔３ｆ又は回転支持機構固定用孔３ｈに締結することで、回転支持機構１０が正面側キャビネット３ａに組み付けられている。このとき、図９及び図２１に示すように、第１スライドピン１１及び第２スライドピン１２を連結部材２１に結合し、これら第１スライドピン１１及び第２スライドピン１２をガイド孔１３及びレール部１５に係合させて、予め回転支持機構１０をユニット構成しておけば、組立ライン上で正面側キャビネット３ａに連結部材２１ごと回転支持機構１０が回転側筐体３に連結されるので、組立が極めて容易となっている。
【００５３】
そして、図８等に示すように、回転側筐体３の側面における厚さ方向中間には、回転支持機構１０が移動するのを許容する移動用開口２５が形成されている。この移動用開口２５は、背面側キャビネット３ｂにおける分割面３ｃ側の縁部に形成されている。背面側から見たときに、この移動用開口２５は、縦長状態で下側に配置される下方開口２５ａと、左側に配置される側方開口２５ｂとに跨ってＬ字形状に形成されている。図９に示すように、回転支持機構１０を組み付けた正面側キャビネット３ａに対し、移動用開口２５の部分に回転支持機構１０がくるようにして背面側キャビネット３ｂを組み付け、上記キャビ締結用貫通孔３ｅにキャブ締結用ネジ６０を挿通してキャブ締結用孔３ｇに締結することで、回転側筐体３の組立が行われている。
【００５４】
また、正面側キャビネット３ａには、表示ディスプレイと表示用基板とが設けられ、ある程度の厚さを必要とするので、図１３及び図１４に示すように、厚さを必要としない背面側キャビネット３ｂの分割面３ｃ側の縁部へ移動用開口２５が切り欠かれている。このため、厚さの増大を防ぎながら回転支持機構１０が正面側キャビネット３ａと背面側キャビネット３ｂとの間にサンドイッチ状に挟まれている。
【００５５】
一方、図３等に示すように、ヒンジ部４は、左右外側のヒンジボス部１７ａ，１８ａと、固定側筐体５の上側に形成され、これらヒンジボス部１７ａ，１８ａに挟まれる膨出部５ａとを備えている。図２１等に示すように、ガイドプレート１６の一対の延長部１６ｄは、それぞれヒンジボス部１７ａ，１８ａ内に配置されている。背面側から見て右側の一方の延長部１６ｄのヒンジ軸挿通孔１６ｅには、金属製のヒンジ軸４ａがかしめ等によって組み付けられ、同じく金属製のガイドプレート１６に対してヒンジ軸４ａが回転不能に固定されている。一方、ヒンジ軸４ａの左右内側端部には、角筒状の固定部４ｂが回転可能に設けられている。角筒状の固定部４ｂが固定側筐体５の膨出部５ａに固定されると共に、他方の延長部１６ｄをヒンジボス部１７ａに設けた固定部材１７ｆにビス止めすることで、回転支持機構１０がヒンジ部４を介して固定側筐体５に確実に固定されている。
【００５６】
そして、図２２等に示すように、ヒンジ軸４ａは、回転側筐体３と固定側筐体５との折畳み動作を補助する付勢機構４ｃを備えている。図２８等に示すように、例えば、この付勢機構４ｃは、ヒンジ軸４ａの軸方向にコイルが巻かれた捩りコイルバネを含み、この捩りコイルバネの一端がヒンジ軸４ａに固定されると共に、他端が固定部４ｂに固定されており、この捩りコイルバネの付勢力により、回転側筐体３が固定側筐体５に対し、例えば約１６５°の全開位置で保持されるように付勢している。このように、剛性部材であるガイドプレート１６にヒンジ軸４ａを直接嵌合させて組み付けることで、部品点数の増加を抑えながら、ヒンジ軸４ａとガイドプレート１６との間でのガタを防止できる剛性の高いヒンジ部４が得られる。
【００５７】
そして、図２及び図８に示すように、移動用開口２５は、回転支持機構１０の装飾側面部１７ｂと、回転側筐体３の回転に伴う回転支持機構１０の移動に合わせて開閉する側方遮蔽部材４０及び下方遮蔽部材４１とで覆われるように構成されている。
【００５８】
図３１に示すように、側方遮蔽部材４０は、装飾側面部１７ｂと共に側方開口２５ｂを閉じる側方遮蔽部材本体４０ａを備え、回動支点４０ｂを中心に回動自在に支持されている。側方遮蔽部材本体４０ａの内側には、バネ収容部４０ｃが形成されている。このバネ収容部４０ｃには、遮蔽用捩りコイルバネ４０ｄが収容されている。この遮蔽用捩りコイルバネ４０ｄにより、側方遮蔽部材本体４０ａが、側方開口２５ｂを閉じる方向に付勢されている。図１５及び図１８に示すように、側方遮蔽部材本体４０ａの回動端４０ｅは、正面側ヒンジ部筐体１７の上端部１７ｄの凹部１７ｅに収容されるように構成されている。側方遮蔽部材本体４０ａは、背面側キャビネット３ｂと同じ材質で同じ色彩であると見映えがよい。
【００５９】
そして、図３２〜図４４に示すように、下方遮蔽部材４１は、回転側筐体３の下端側コーナー部３ｉに配置される下方遮蔽部材本体４１ａと、この下方遮蔽部材本体４１ａを移動用開口２５を塞ぐ方向に付勢する板バネ４３とを備えている。具体的には、下方遮蔽部材本体４１ａは、例えば、金属などに対して滑りがよく、耐摩耗性に優れたナイロン樹脂などの樹脂成形品よりなり、下端側コーナー部３ｉに沿ったＬ字状部４１ｂと、このＬ字状部４１ｂの表面側を覆うカバー部４１ｃとを備え、Ｌ字状部４１ｂが図１０、図３３等に示す遮蔽部材収容部４２に収容されるようになっている。図３３及び図３９に示すように、Ｌ字状部４１ｂの裏面側には、組立時に遮蔽部材収容部４２の係合部４２ａに抜け止め状態で仮止めするための抜止め部４１ｄが形成されている。
【００６０】
一方、板バネ４３は、図４０〜図４４に示すように、バネ鋼を折り畳んで、ビス孔４３ａを有する取付部４３ｂと、側面視Ｖ字状のバネ部４３ｃとを備え、ビス孔４３ａにビス４３ｄを挿通して遮蔽部材収容部４２のネジ穴４２ｂ（図１０参照）に締結した状態で、バネ部４３ｃが遮蔽部材収容部４２に収容されるように構成されている。
【００６１】
このように構成することで、下方遮蔽部材本体４１ａは、その裏面側に板バネ４３が配置された状態で、遮蔽部材収容部４２内で回転側筐体３の厚さ方向に傾動（スライドして移動）可能に配置されている。すなわち、図７に示すように、回転支持機構１０の回転に伴って、この回転支持機構１０に当接された下方遮蔽部材本体４１ａが徐々に回転側筐体３の厚さ方向に押圧されて傾動し、回転支持機構１０がスムーズに通過するように構成されている。回転支持機構１０の通過後には、板バネ４３に押し戻されて再び下方開口２５ａ及び側方開口２５ｂの一部を閉じるようになっている。下方遮蔽部材４１も、背面側キャビネット３ｂと同じ色彩であると見映えがよい。
【００６２】
以上の構成により、図２に示す閉じ状態及び図３に示す縦長状態では、ヒンジ部４側（縦長状態で下側）の装飾側面部１７ｂと、側方遮蔽部材４０とで側方開口２５ｂが閉じられ、下方開口２５ａにはガイドプレート１６、正面側ヒンジ部筐体１７及び背面側ヒンジ部筐体１８の下側が収容されている。図８に示す横長状態では、図１７及び図２０にも示すように側方遮蔽部材４０が正面側キャビネット３ａ内に収納されると共に、側方開口２５ｂの一部（図３の縦長状態における上側）にガイドプレート１６、正面側ヒンジ部筐体１７及び背面側ヒンジ部筐体１８が収容され、側方開口２５ｂの下端側コーナー部側の部分と下方開口２５ａとが下方遮蔽部材４１で閉じられている。これら遮蔽部材４０，４１が閉じられているときには、遮蔽部材４０，４１の表面と回転側筐体３の表面とは、ほぼ連続している。
【００６３】
−作用−
次に、本実施形態にかかる携帯電話機１の作動について説明する。
【００６４】
まず、図２に示すように、携帯電話機１を使用しないとき、又は待機状態のときなどは、回転側筐体３と固定側筐体５とは折り畳み状態にある。このとき、回転支持機構１０は、回転側筐体３の移動用開口２５内に収納されているが、ガイド孔１３及びレール部１５が平板状のステンレス製のガイドプレート１６に形成され、この厚さの薄いガイドプレート１６、正面側ヒンジ部筐体１７及び背面側ヒンジ部筐体１８を移動用開口２５内で移動させればよいので、移動用開口２５の幅が小さくなり、また、回転側筐体３全体の厚さも抑えられている。しかも、側方開口２５ｂは、側方遮蔽部材４０と装飾側面部１７ｂとで覆われ、回転側筐体３の表面はほぼ連続して見える。このため、回転支持機構１０が出っ張らず、一見すると回転支持機構１０のない通常の折畳み式携帯電話機１に見えて見映えがよい。
【００６５】
そして、図３に示すように、回転側筐体３と固定側筐体５とを開くと、表示ディスプレイ２と操作部７とが現出する。通常の通話時やメール送受信時などには、表示ディスプレイ２を縦長状態とし、操作部７でキー入力しながら使用する。この回転側筐体３が縦長状態にあるときには、図１、図１５、図１８、図２２及び図２３に示すように、回転側筐体３の背面側から見て第１スライドピン１１は、ガイド孔１３の左端部に位置し、第２スライドピン１２は、レール部１５の上下中間部に位置している。
【００６６】
一方、地上デジタルテレビ放送の視聴やインターネット接続をするときなど横長画像を見たいときには、ユーザが表示ディスプレイ２を回転させ縦長状態から横長状態に切り換える。
【００６７】
まず、図４及び図７に示すように、ユーザは回転側筐体３の下端側コーナー部３ｉを表面から見て時計回りに回転させる。このとき、図１６、図１９及び図２４に示すように、携帯電話機１の背面から見てレール部１５の上下中間位置にあった第２スライドピン１２がレール部１５のほぼ上端へ移動し、ガイド孔１３の左端にあった第１スライドピン１１が左右中央付近に移動する。同時にリンク部材１４が上方へ回動するのに伴って捩りコイルバネ２６が最も弾性エネルギーを蓄える。このガイド孔１３の中央付近を過ぎると、捩りコイルバネ２６の付勢力により、回転側筐体３の回転が補助される。また、正面側ヒンジ部筐体１７の上端部１７ｄが、側方遮蔽部材本体４０ａを押し上げて厚さ方向へ傾斜させるので、側方遮蔽部材４０が回動し、また、他方側の装飾側面部１７ｂが下方遮蔽部材４１を押し下げるので、回転側筐体３の回転を阻害しない。図４及び図７に示すように、移動用開口２５から出てきた回転支持機構１０は、その正面及び背面が装飾薄板１９で覆われているので、見映えがよい。
【００６８】
次いで、表示ディスプレイ２が図５に示す横長状態に切り換えられる。このとき、図１７、図２０及び図２５に示すように、携帯電話機１の背面から見てレール部１５の上端側にあった第２スライドピン１２がレール部１５の下端に移動し、ガイド孔１３の左右中央付近にあった第１スライドピン１１がガイド孔１３の右端に移動する。このように、第１スライドピン１１はガイド孔１３によって、第２スライドピン１２はリンク部材１４によって第１スライドピン１１と連動しながら、それぞれガイドプレート１６に対して移動規制される。このように移動規制される第１スライドピン１１及び第２スライドピン１２に連結された回転側筐体３は、その回転軌跡が制御される。第１スライドピン１１がガイド孔１３内をスライド移動するのと同時に、第２スライドピン１２の環状凹部１２ａがレール部１５に嵌ったまま移動するので、第２スライドピン１２が厚さ方向にずれず、回転側筐体３の回転動作が安定する。この場合でも、環状凹部１２ａはレール部１５側のみ摺接するので、従来のように第２スライドピン１２の両側でガイド孔１３の周縁に摺接する場合に比べて摩擦抵抗が小さい。第２スライドピン１２にかかる摩擦抵抗が小さいため、捩りコイルバネ２６による回転側筐体３の回転補助効果が十分に発揮され、さらに力を加えなくても自動的に回転側筐体３が横長状態へ切り換わる。
【００６９】
また、第２スライドピン１２がガイド孔を必要としないので、ガイド孔の移動範囲の上端よりも上方にガイドプレート１６の肉を残す必要がなく、ガイドプレート１６の上端位置が低くなり、回転側筐体３の横長状態の位置を低くすることができる。しかも、回転側筐体３が横長状態のときの第２スライドピン１２の高さ（ヒンジ部４からの距離）は、回転側筐体３が縦長状態のときの第２スライドピン１２の高さよりも低くなっている。このように、ガイド孔１３の形状を調整することで、回転側筐体３が横長状態のときの第２スライドピン１２の高さが低くなる。これらの効果により、図３及び図５に示すように、縦長状態における回転側筐体３の下辺とヒンジ部４との隙間の大きさと、横長状態における回転側筐体３の下辺とヒンジ部４との隙間の大きさをいずれも小さくすることができ、見映えが向上している。
【００７０】
また、図３〜図８に示すように、回転支持機構１０は、側方遮蔽部材４０及び下方遮蔽部材４１を徐々に押しのけながら移動すると共に、移動後には、側方遮蔽部材４０及び下方遮蔽部材４１が徐々に元の位置に戻る。このように、回動中にも移動用開口２５が少しずつ開くので、移動用開口２５内にごみが入りにくい。また、指などが挟まりにくいので安全である。
【００７１】
また、下端側コーナー部３ｉは、ヒンジ部４との間に一定の隙間を保った軌跡でもって移動するように案内支持される。このため、従来のように表示ディスプレイ２の下端をその支持軸を中心とした半径に沿って丸めなくても、表示ディスプレイ２がヒンジ部４に干渉することはない。このため、回転側筐体３の角部を丸める必要がなくなり、表示ディスプレイ２を大きくすることができる。このため、画像が見やすくなっている。
【００７２】
また、回転側筐体３の回転中には、回転支持機構１０が常に移動用開口２５内を移動するので、移動用開口２５とのクリアランス内でしかぐらつかず、回転操作が安定する。また、突起部２７が回転側筐体３のスライド用凹部２８に常に接触するようにすれば、簡単な構成で回転側筐体３のさらなるぐらつきの防止が可能となる。しかも、装飾薄板１９の突条１９ａにより、装飾薄板１９と回転側筐体３内部との隙間を最小限にすることで、回転時のぐらつきがさらに防止される。
【００７３】
図５に示す横長状態でも、表示ディスプレイ２の左右方向中央部は、回転側筐体３の略左右方向中央に位置している。この状態で、固定側筐体５を手に持って横長状態の回転側筐体３を見ることができる。そして、表示ディスプレイ２に横長画像が大きく表示されるように設定して、操作部７でキー入力しながら、テレビからクイズ番組に参加したり、テレビショッピングや銀行振り込みなどをテレビを通じて利用したりする。また、回転側筐体３が横長状態かつ開いた状態で、固定側筐体５の背面側を机上に載置することにより、横長状態の表示ディスプレイ２にＴＶ画像を表示させた状態で長時間の視聴が可能となる。また、回転側筐体３が横長状態にあるときも、回転支持機構１０を回転側筐体３の移動用開口２５内に収納することができるので、回転支持機構１０が出っ張らず見映えがよい。
【００７４】
また、使用後は、上記とは反対に、表示ディスプレイ２の右側の下端側コーナー部３ｉを表面から見て反時計回りに回動させ、表示ディスプレイ２が縦長状態に戻る。この際も、回転支持機構１０が側方遮蔽部材４０及び下方遮蔽部材４１を徐々に押しのけながら移動すると共に、移動後に側方遮蔽部材４０及び下方遮蔽部材４１が徐々に元の位置に戻る。
【００７５】
そして、回転側筐体３と固定側筐体５とを折り畳んで待機状態とする。
【００７６】
以上説明した構成により、回転側筐体３に不測の衝撃が加わっても、移動用開口２５の周縁にも負荷が伝達されるので、回転支持機構１０にのみ負荷が集中するのが防止され、回転支持機構１０の損傷を効果的に防止することができる。
【００７７】
また、移動用開口２５が遮蔽部材４０，４１で覆われ、遮蔽部材４０，４１の表面と回転側筐体３の表面とが連続して見えるので、極めて見映えがよく、またごみが移動用開口２５から回転側筐体３内に入るのを防止することができる。さらに、指等が移動用開口２５内に入りにくくなるので、安全性を向上させることができる。
【００７８】
また、上記実施形態のようにガイド孔１３及びレール部１５の形状を設定することでヒンジ部４との接触が避けられるので、回転側筐体３の角部を丸める必要がなくなり、回転側筐体３を大きくすることができる。このため、表示ディスプレイ２を大きくしてＴＶ画像やインターネット画像を快適に見ることができる。
【００７９】
また、第１スライドピン１１と第２スライドピン１２とが連結部材２１で連結された状態で、連結部材２１とリンク部材１４とがガイドプレート１６を挟み込んでいるので、回転支持機構１０をユニット組立することができ、携帯端末の組立性を格段に向上させることができる。
【００８０】
したがって、本実施形態にかかる携帯電話機１によると、回転支持機構１０のガイドプレート１６に、回転側筐体３に連結された第１スライドピン１１及び第２スライドピン１２と、第１スライドピン１１をスライド規制するガイド孔１３とを設け、第２スライドピン１２とガイドプレート１６に設けた回動軸２３とをリンク部材１４で連結したことにより、回転支持機構１０の摩擦抵抗を小さくしながら、大きさを抑えることで携帯電話機１を外観のよいものとすることができる。
【００８１】
−変形例−
図４５及び図４６は本発明の実施形態の変形例を示し、主に捩りコイルバネ１２６の配置が異なる点で上記実施形態と異なる。なお、図１〜図４４と同じ部分については同じ符号を付してその詳細な説明は省略する。
【００８２】
すなわち、上記実施形態では、弾性部材として、ガイドプレート１６の背面側にコイル部が配置される捩りコイルバネ２６を設けたが、本変形例の捩りコイルバネ１２６では、一端がレール部１１５上端に回転自在に連結され、他端がリンク部材１１４に回転自在に連結されている。本変形例では、バネ用開口１３０は、上方に開口している。
【００８３】
そして、捩りコイルバネ１２６のコイル部１２６ａは、レール部１１５近傍における第２スライドピン１２と反対側のガイドプレート１１６と重ならない位置に配置され、コイル部１２６ａの巻き数によって増加する方向の高さ（厚さ）は、ガイドプレート１１６と、連結部材２１と、リンク部材１１４との厚さの和以下となっている。
【００８４】
このように、捩りコイルバネ１２６の高さを左右するコイル部１２６ａがガイドプレート１１６と重ならないレール部１１５材の近傍に配置されている。しかもコイル部１２６ａの高さがガイドプレート１１６と、連結部材２１と、リンク部材１１４との厚さの和以下であるので、捩りコイルバネ１２６を設けることで回転支持機構１０の厚さが増加することはない。
【００８５】
（その他の実施形態）
本発明は、上記実施形態について、以下のような構成としてもよい。
【００８６】
すなわち、上記実施形態では、回転側筐体３の移動用開口２５内に回転支持機構１０を移動させるようにしたが、特許文献１のような第１の筐体の表面側に回転側筐体としての液晶表示部を縦長状態と横長状態とに切換操作可能に支持するために上記実施形態の回転支持機構１０を用いてもよい。
【００８７】
また、上記実施形態では、ガイドプレート１６の上端のレール部１５の上方に肉を残しているが、この肉は必要ではなく、上端も下げることもでき、さらには、上記変形例のように、バネ用開口３０を上方に開放させてもよい。
【００８８】
また、上記実施形態では、回転側筐体３に表示ディスプレイ２を内蔵させたが、表示ディスプレイ２は、回転側筐体３及び固定側筐体５の両方に設けても、回転側筐体３又は固定側筐体５の一方にのみ設けてもよい。さらに表示ディスプレイ２をタッチパネルで構成してもよい。また、上記実施形態では、操作部７を固定側筐体５のみに設けているが、回転側筐体３にのみ設け、固定側筐体５に表示ディスプレイ２を設けてもよい。また、回転側筐体３に表示ディスプレイ２を設け、かつ一部にファンクションキーなどよりなる簡単な操作部７を設けるようにしてもよい。
【００８９】
また、ガイド孔１３及びリンク部材１４の形状を最適化することで、回転側筐体３の最適な回転軌跡が得られる。つまり、上記実施形態では、回転側筐体３を回転支持機構１０によって縦長状態から横長状態へ正面から見て時計回りに回転し、また、横長状態から縦長状態へ元に戻るように回転自在に支持したが、反時計回りに回転するようにしてもよい。その場合には、回転支持機構１０及び移動用開口２５を左右反転して配置すればよい。
【００９０】
上記実施形態では、第１スライドピン１１及び第２スライドピン１２をそれぞれ板状の連結部材２１で仮止めするようにしたが、それに限定されず、回転支持機構固定用孔３ｆ又は回転支持機構固定用孔３ｈ自体を第１スライドピン１１及び第２スライドピン１２としてもよい。
【００９１】
上記実施形態では、回転側筐体３の左右外側にヒンジボス部１７ａ，１８ａを設け、固定側筐体５の上側に膨出部５ａを設けたが、固定側筐体５の上側に一対のヒンジボス部を膨出させ、これらヒンジボス部の間に回転側筐体３の下端から延びる膨出部を挟むようにしてもよい。
【００９２】
上記実施形態では、携帯端末は、折畳み式携帯電話機１としたが、固定側筐体５は、回転側筐体３に対して折り畳み開閉不能に連結した、いわゆるストレートタイプの携帯端末としてもよい。その場合には、回転支持機構１０は、ヒンジ部４を介さず固定側筐体５に直結すればよい。このストレートタイプの携帯端末であっても、回転支持機構１０が回転側筐体３の移動用開口２５内に収まるので、見映えがよい。
【００９３】
さらに、固定側筐体５ごと回転の際に移動用開口２５内を移動可能に構成してもよい。この場合、固定側筐体５を回転側筐体３の移動用開口２５内に完全に収めたコンパクトな形状とすることができる。
【００９４】
上記実施形態では、表示ディスプレイ２は液晶ディスプレイでも有機ＥＬディスプレイでもよい。有機ＥＬディスプレイは、自発光を発するため消費電力が小さく、液晶ディスプレイに比べて視野角が広く、かつバックライトを必要としないため、薄型化が可能である。液晶ディスプレイは、有機ＥＬディスプレイに比べて安価で寿命が長い。
【００９５】
上記実施形態では、携帯端末は、折畳み式携帯電話機としたが、ＰＨＳ、ＰＤＡ、ＰＣ、モバイルツール、電子辞書、電卓、ゲーム機等であってもよい。
【００９６】
なお、以上の実施形態は、本質的に好ましい例示であって、本発明、その適用物や用途の範囲を制限することを意図するものではない。
【符号の説明】
【００９７】
１      折畳み式携帯電話機（携帯端末）
３      回転側筐体
３ｉ    下端側コーナー部
４      ヒンジ部
４ａ    ヒンジ軸
１０      回転支持機構
１１      第１スライドピン（第１スライド部材）
１２      第２スライドピン（第２スライド部材）
１２ａ    環状凹部
１３      ガイド孔
１４      リンク部材
１５      レール部
１６      ガイドプレート
１６ｄ    延長部
１６ｅ    ヒンジ軸挿通孔
１９      装飾薄板
２１      連結部材
２３      回動軸
２５      移動用開口
２６      捩りコイルバネ（弾性部材）
３０      バネ用開口
４１      下方遮蔽部材
４１ａ    下方遮蔽部材本体（遮蔽部材本体）
４１ｄ    抜止め部
４３      板バネ
１１４      リンク部材
１１５      レール部
１１６      ガイドプレート
１２６      捩りコイルバネ（弾性部材）
１２６ａ    コイル部
【手続補正書】
【提出日】平成23年3月18日(2011.3.18)
【手続補正１】
【補正対象書類名】特許請求の範囲
【補正対象項目名】請求項１
【補正方法】変更
【補正の内容】
【請求項１】
回転側筐体と、
固定側筐体と、
上記固定側筐体に連結され、上記回転側筐体を、縦長状態から横長状態へ又は横長状態から縦長状態へ回転自在に支持する回転支持機構とを備え、
上記回転支持機構は、
ガイドプレートと、
上記回転側筐体に連結され、上記回転の際に上記ガイドプレートに対してスライド移動する第１スライド部材及び第２スライド部材と、
上記ガイドプレートに形成され、上記第１スライド部材をスライド規制するガイド孔と、
上記第２スライド部材と、上記ガイドプレートに設けた回動軸とを、該第２スライド部材と該回動軸との間の距離を不変に連結するリンク部材とを備えている
ことを特徴とする携帯端末。
【手続補正２】
【補正対象書類名】明細書
【補正対象項目名】０００９
【補正方法】変更
【補正の内容】
【０００９】
具体的には、第１の発明では、
回転側筐体と、
固定側筐体と、
上記固定側筐体に連結され、上記回転側筐体を、縦長状態から横長状態へ又は横長状態から縦長状態へ回転自在に支持する回転支持機構とを備え、
上記回転支持機構は、
ガイドプレートと、
上記回転側筐体に連結され、上記回転の際に上記ガイドプレートに対してスライド移動する第１スライド部材及び第２スライド部材と、
上記ガイドプレートに形成され、上記第１スライド部材をスライド規制するガイド孔と、
上記第２スライド部材と、上記ガイドプレートに設けた回動軸とを、該第２スライド部材と該回動軸との間の距離を不変に連結するリンク部材とを備えている。
【手続補正３】
【補正対象書類名】明細書
【補正対象項目名】００１０
【補正方法】変更
【補正の内容】
【００１０】
上記の構成によると、固定側筐体に連結された回転支持機構の第１スライド部材はガイド孔によって、第２スライド部材は、この第２スライド部材と回動軸との間の距離を不変に連結するリンク部材によって第１スライド部材と連動しながら、それぞれガイドプレートに対して移動規制される。このように移動規制される第１スライド部材及び第２スライド部材に連結された回転側筐体は、その回転軌跡が制御される。回転側筐体の回転中には、第２スライド部材は、第１スライド部材のようにガイド孔に対して摺動しないので、その分摩擦抵抗が減って回転しやすくなる。また、第２スライド部材がガイド孔を必要としないので、第２ガイド孔の移動範囲の上端よりも上方にガイドプレートの肉を残す必要がなく、ガイドプレートの上端位置が低くなり、回転側筐体の横長状態の位置を低くすることができる。その結果、縦長状態における回転側筐体の下辺の位置と、横長状態における回転側筐体の下辺の位置との間で高さの差を小さくすることができ、見映えがよくなる。